(57)【特許請求の範囲】
【請求項１】
湯水を貯湯する貯湯タンクと、該貯湯タンク内の湯水を加熱する加熱手段と、前記貯湯タンクと前記加熱手段とを循環可能に接続する循環回路と、該循環回路に設けられた循環ポンプと、前記貯湯タンクに給水する給水管と、前記加熱手段の作動を制御すると共に前記循環ポンプの目標回転数を設定し前記循環ポンプを目標回転数で作動させるよう制御する制御部とを備えた貯湯式給湯装置において、前記貯湯タンクにかかる給水圧が低下した状態で前記循環ポンプを作動させた時に前記循環ポンプのキャビテーションが発生したことを検知するキャビテーション検知手段を設け、前記制御部は、前記キャビテーション検知手段からの検知信号を受けると、前記循環ポンプを停止させ、その後、前記目標回転数をそれまでよりも低い回転数に補正して、再び前記循環ポンプの作動を開始させるようにしたことを特徴とする貯湯式給湯装置。
【請求項２】
前記制御部は、前記キャビテーション検知手段からの検知信号を受けると、前記循環ポンプを停止させ、その後、前記目標回転数を最低回転数に補正して、再び前記循環ポンプの作動を開始させるようにしたことを特徴とする請求項１記載の貯湯式給湯装置。
【請求項３】
湯水を貯湯する貯湯タンクと、該貯湯タンク内の湯水を加熱する加熱手段と、前記貯湯タンクと前記加熱手段とを循環可能に接続する循環回路と、該循環回路に設けられた循環ポンプと、前記貯湯タンクに給水する給水管と、前記加熱手段の作動を制御すると共に前記循環ポンプの目標回転数を設定し前記循環ポンプを目標回転数で作動させるよう制御する制御部とを備えた貯湯式給湯装置において、前記循環ポンプの吐出側と吸込側とを接続し途中に流量調整弁を有したポンプバイパス管を設けると共に、前記貯湯タンクにかかる給水圧が低下した状態で前記循環ポンプを作動させた時に前記循環ポンプのキャビテーションが発生したことを検知するキャビテーション検知手段を設け、前記制御部は、前記キャビテーション検知手段からの検知信号を受けると、前記循環ポンプを停止させ、その後、前記流量調整弁を所定の開度に調整して、再び前記循環ポンプの作動を開始させるようにしたことを特徴とする貯湯式給湯装置。
【請求項４】
前記制御部は、前記キャビテーション検知手段からの検知信号を受けると、前記循環ポンプを停止させ、その後、前記流量調整弁を最大開度に調整して、再び循環ポンプの作動を開始させるようにしたことを特徴とする請求項３記載の貯湯式給湯装置。
【請求項５】
請求項１から４の何れかに記載の貯湯式給湯装置において、前記循環ポンプの作動時の実回転数を検知する実回転数検知手段を設け、前記キャビテーション検知手段は、前記実回転数検知手段の検出した前記循環ポンプの実回転数に基づいて、前記循環ポンプのキャビテーションが発生したことを検知することを特徴とする貯湯式給湯装置。
【請求項６】
湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記一次側循環ポンプの目標回転数を設定し一次側循環ポンプを目標回転数で作動させるよう制御する暖房制御部とを備えた貯湯式給湯暖房装置において、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、前記暖房ポンプキャビテーション検知手段からの検知信号を受けると、前記一次側循環ポンプを停止させ、その後、前記目標回転数をそれまでよりも低い回転数に補正して、再び前記一次側循環ポンプの作動を開始させるようにしたことを特徴とする貯湯式給湯暖房装置。
【請求項７】
湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記暖房端末と前記暖房用熱交換器とを循環可能に接続する二次側循環回路と、該二次側循環回路に設けられた二次側循環ポンプと、前記一次側循環ポンプの目標回転数を設定し一次側循環ポンプを目標回転数で作動させるよう制御する暖房制御部とを備えた貯湯式給湯暖房装置において、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、一次側循環ポンプ及び二次側循環ポンプを作動させ前記暖房用熱交換器により熱交換させ前記暖房端末により室内の暖房を行う暖房運転時に、前記暖房ポンプキャビテーション検知手段からの検知信号を受けると、エラーの報知を行うと共に前記一次側循環ポンプを停止させ、その後、前記目標回転数をそれまでよりも低い回転数に補正して、再び前記一次側循環ポンプの作動を開始させるようにしたことを特徴とする貯湯式給湯暖房装置。
【請求項８】
前記暖房制御部は、前記暖房ポンプキャビテーション検知手段からの検知信号を受けると、前記一次側循環ポンプを停止させ、その後、前記目標回転数を最低回転数に補正して、再び前記一次側循環ポンプの作動を開始させるようにしたことを特徴とする請求項６または７記載の貯湯式給湯暖房装置。
【請求項９】
前記暖房制御部は、前記暖房ポンプキャビテーション検知手段からの検知信号を受けると、前記一次側循環ポンプを停止させ、その後、前記目標回転数をそれまでよりも所定回転数低い回転数に補正して、再び前記一次側循環ポンプの作動を開始させ、その後も前記暖房ポンプキャビテーション検知手段からの検知信号を受ける場合は、前記一次側循環ポンプを停止させ、その後、前記目標回転数をそれまでよりも所定回転数低い回転数に補正して、再び前記一次側循環ポンプの作動を開始させる制御を、前記暖房ポンプキャビテーション検知手段からの検知信号を受けなくなるまで繰り返し行うようにしたことを特徴とする請求項７記載の貯湯式給湯暖房装置。
【請求項１０】
湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記一次側循環ポンプの目標回転数を設定し一次側循環ポンプを目標回転数で作動させるよう制御する暖房制御部とを備えた貯湯式給湯暖房装置において、前記一次側循環ポンプの吐出側と吸込側とを接続し途中に暖房流量調整弁を有した暖房ポンプバイパス管を設けると共に、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、前記暖房ポンプキャビテーション検知手段からの検知信号を受けると、前記一次側循環ポンプを停止させ、その後、前記暖房流量調整弁を所定の開度に調整して、再び前記一次側循環ポンプの作動を開始させるようにしたことを特徴とする貯湯式給湯暖房装置。
【請求項１１】
湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記暖房端末と前記暖房用熱交換器とを循環可能に接続する二次側循環回路と、該二次側循環回路に設けられた二次側循環ポンプと、前記一次側循環ポンプの目標回転数を設定し一次側循環ポンプを目標回転数で作動させるよう制御する暖房制御部とを備えた貯湯式給湯暖房装置において、前記一次側循環ポンプの吐出側と吸込側とを接続し途中に暖房流量調整弁を有した暖房ポンプバイパス管を設けると共に、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、一次側循環ポンプ及び二次側循環ポンプを作動させ前記暖房用熱交換器により熱交換させ前記暖房端末により室内の暖房を行う暖房運転時に、前記暖房ポンプキャビテーション検知手段からの検知信号を受けると、エラーの報知を行うと共に前記一次側循環ポンプを停止させ、その後、前記暖房流量調整弁を所定の開度に調整して、再び前記一次側循環ポンプの作動を開始させるようにしたことを特徴とする貯湯式給湯暖房装置。
【請求項１２】
前記暖房制御部は、前記暖房ポンプキャビテーション検知手段からの検知信号を受けると、前記一次側循環ポンプを停止させ、その後、前記暖房流量調整弁を最大開度に調整して、再び一次側循環ポンプの作動を開始させるようにしたことを特徴とする請求項１０または１１記載の貯湯式給湯暖房装置。
【請求項１３】
前記暖房制御部は、前記暖房ポンプキャビテーション検知手段からの検知信号を受けると、前記一次側循環ポンプを停止させ、その後、前記暖房流量調整弁を最大開度に調整して、再び前記一次側循環ポンプの作動を開始させ、その後徐々に前記暖房流量調整弁の開度を減少させていき、一次側循環ポンプのキャビテーションが発生することのない開度に調整するようにしたことを特徴とする請求項１１記載の貯湯式給湯暖房装置。
【請求項１４】
請求項６から１３の何れかの貯湯式給湯暖房装置において、前記一次側循環ポンプの作動時の実回転数を検出する暖房ポンプ実回転数検知手段を設け、前記暖房ポンプキャビテーション検知手段は、前記暖房ポンプ実回転数検知手段の検出した前記一次側循環ポンプの実回転数に基づいて、前記一次側循環ポンプのキャビテーションが発生したことを検知することを特徴とする貯湯式給湯暖房装置。
【請求項１５】
湯水を貯湯する貯湯タンクと、該貯湯タンク内の湯水を加熱する加熱手段と、前記貯湯タンクと前記加熱手段とを循環可能に接続する循環回路と、該循環回路に設けられた循環ポンプと、前記貯湯タンクに給水する給水管と、前記加熱手段の作動を制御すると共に前記循環ポンプの目標回転数を設定し前記循環ポンプを目標回転数で作動させるよう制御する制御部とを備えた貯湯式給湯装置において、給水圧が低下したことを検知する給水圧低下検知手段を設け、前記制御部は、前記給水圧低下検知手段からの検知信号を受けると、前記循環ポンプの前記目標回転数を最低回転数に設定し、前記循環ポンプを作動させたときに前記循環ポンプのキャビテーションが発生しないようにしたことを特徴とする貯湯式給湯装置。
【請求項１６】
湯水を貯湯する貯湯タンクと、該貯湯タンク内の湯水を加熱する加熱手段と、前記貯湯タンクと前記加熱手段とを循環可能に接続する循環回路と、該循環回路に設けられた循環ポンプと、前記貯湯タンクに給水する給水管と、前記加熱手段の作動を制御すると共に前記循環ポンプの目標回転数を設定し前記循環ポンプを目標回転数で作動させるよう制御する制御部とを備えた貯湯式給湯装置において、前記循環ポンプの吐出側と吸込側とを接続し途中に流量調整弁を有したポンプバイパス管を設けると共に、給水圧が低下したことを検知する給水圧低下検知手段を設け、前記制御部は、前記給水圧低下検知手段からの検知信号を受けると、前記流量調整弁を最大開度にし、前記循環ポンプを作動させたときに前記循環ポンプのキャビテーションが発生しないようにしたことを特徴とする貯湯式給湯装置。
【請求項１７】
前記給水圧低下検知手段は、前記給水管に設けられた給水圧センサが検出する給水圧に基づいて、給水圧が低下したことを検知するようにしたことを特徴とする請求項１５または１６記載の貯湯式給湯装置。
【請求項１８】
湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記一次側循環ポンプの目標回転数を設定し一次側循環ポンプを目標回転数で作動させるよう制御する暖房制御部とを備えた貯湯式給湯暖房装置において、給水圧が低下したことを検知する給水圧低下検知手段を設け、前記暖房制御部は、前記給水圧低下検知手段からの検知信号を受けると、前記一次側循環ポンプの前記目標回転数を最低回転数に設定し、前記一次側循環ポンプを作動させたときに前記一次側循環ポンプのキャビテーションが発生しないようにしたことを特徴とする貯湯式給湯暖房装置。
【請求項１９】
湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記一次側循環ポンプの目標回転数を設定し一次側循環ポンプを目標回転数で作動させるよう制御する暖房制御部とを備えた貯湯式給湯暖房装置において、前記一次側循環ポンプの吐出側と吸込側とを接続し途中に暖房流量調整弁を有した暖房ポンプバイパス管を設けると共に、給水圧が低下したことを検知する給水圧低下検知手段を設け、前記暖房制御部は、前記給水圧低下検知手段からの検知信号を受けると、前記暖房流量調整弁を最大開度にし、前記一次側循環ポンプを作動させたときに前記一次側循環ポンプのキャビテーションが発生しないようにしたことを特徴とする貯湯式給湯暖房装置。
【請求項２０】
前記給水圧低下検知手段は、前記給水管に設けられた給水圧センサが検出する給水圧に基づいて、給水圧が低下したことを検知するようにしたことを特徴とする請求項１８または１９記載の貯湯式給湯暖房装置。
【発明の詳細な説明】
【技術分野】
【０００１】
この発明は、貯湯タンク内の湯水を給湯等に使用する貯湯式給湯装置及び貯湯タンク内の湯水を熱源として使用する貯湯式給湯暖房装置に関するものである。
【背景技術】
【０００２】
従来この種のものにおいては、図２８に示すようなものがあった。１０１は湯水を貯湯する貯湯タンク、１０２は貯湯タンク１０１内の湯水を加熱する加熱手段としてのヒートポンプユニット、１０３は貯湯タンク１０１とヒートポンプユニット１０２とを循環可能に接続する循環回路、１０４は循環回路１０３に設けられた循環ポンプ、１０５は貯湯タンク１０１下部に接続された給水管、１０６は貯湯タンク１０１上部に接続された出湯管であり、貯湯タンク１０１内の湯水を沸き上げる場合には、前記加熱手段１０２及び循環ポンプ１０４を作動させて貯湯タンク１０１内の湯水を沸き上げて貯湯タンク１０１内に高温水を貯湯するものであり、この高温水を給湯や暖房等に使用するものである。
【０００３】
また、１０７は貯湯タンク１０１の上部から暖房用熱交換器１０８を介して前記貯湯タンク１０１へ戻る一次側循環回路、１０９は一次側循環回路１０７に設けられた一次側循環ポンプ、１１０は前記暖房用熱交換器１０８と室内を暖房する暖房端末１１１とを循環可能に接続する二次側循環回路、１１２は二次側循環回路１１０に設けられた二次側循環ポンプであり、暖房運転時には、一次側循環ポンプ１０９及び二次側循環ポンプ１１２を作動させ貯湯タンク１０１内の高温水と暖房端末１１１側の熱媒とを前記暖房用熱交換器１０８で熱交換させ暖房端末１１１により室内を暖房するものがあった。（例えば、特許文献１参照。）
【特許文献１】特開２００７−８５６６３号公報
【発明の開示】
【発明が解決しようとする課題】
【０００４】
ところでこの従来のものは、断水や不凍水栓の開栓等により給水管１０５から貯湯タンク１０１に供給される給水の給水圧が低下または遮断した状態で、貯湯タンク１０１内の湯水を沸き上げる等により循環ポンプ１０４を作動させると、循環ポンプ１０４でキャビテーションが発生するおそれがあり、循環ポンプ１０４でキャビテーションが発生した場合、循環ポンプ１０４の稼働不良により循環回路１０３内の循環不良を招くだけでなく、循環ポンプ１０４で大きな騒音や振動を発生させたり、壊食を起こして循環ポンプ１０４の寿命を縮めてしまうという大きな問題点を有するものであり、循環回路１０３内の循環不良を招くと、貯湯タンク１０１内の湯水を沸き上げることができないだけでなく、特に、低外気温時においては、循環回路１０３の凍結防止のための循環が働かず循環回路１０３が凍結してしまうという不具合を生じるものであった。
【０００５】
また、断水や不凍水栓の開栓等により給水管１０５から貯湯タンク１０１に供給される給水の給水圧が低下または遮断した状態で、前記暖房運転等により一次側循環ポンプ１０９を作動させると、上記した循環ポンプ１０４の場合と同様に一次側循環ポンプ１０９でキャビテーションが発生するおそれがあり、一次側循環ポンプ１０９でキャビテーションが発生した場合、一次側循環ポンプ１０９の稼働不良により一次側循環回路１０７内の循環不良を招くだけでなく、一次側循環ポンプ１０９で大きな騒音や振動を発生させたり、壊食を起こして一次側循環ポンプ１０９の寿命を縮めてしまうという大きな問題点を有するものであり、一次側循環回路１０７内の循環不良を招くと、暖房運転が必要な低外気温時において、暖房運転を行えずに室内が無暖房状態になってしまうという不具合を生じるだけでなく、一次側循環回路１０７の凍結防止のための循環が働かず一次側循環回路１０７が凍結してしまうという不具合も生じるものであった。
【課題を解決するための手段】
【０００６】
この発明は上記課題を解決するために、特に請求項１ではその構成を、湯水を貯湯する貯湯タンクと、該貯湯タンク内の湯水を加熱する加熱手段と、前記貯湯タンクと前記加熱手段とを循環可能に接続する循環回路と、該循環回路に設けられた循環ポンプと、前記貯湯タンクに給水する給水管と、前記加熱手段の作動を制御すると共に前記循環ポンプの目標回転数を設定し前記循環ポンプを目標回転数で作動させるよう制御する制御部とを備えた貯湯式給湯装置において、前記貯湯タンクにかかる給水圧が低下した状態で前記循環ポンプを作動させた時に前記循環ポンプのキャビテーションが発生したことを検知するキャビテーション検知手段を設け、前記制御部は、前記キャビテーション検知手段からの検知信号を受けると、前記循環ポンプを停止させ、その後、前記目標回転数をそれまでよりも低い回転数に補正して、再び前記循環ポンプの作動を開始させるものとした。
【０００７】
又請求項２では、前記制御部は、前記キャビテーション検知手段からの検知信号を受けると、前記循環ポンプを停止させ、その後、前記目標回転数を最低回転数に補正して、再び前記循環ポンプの作動を開始させるものとした。
【０００９】
又請求項３では、湯水を貯湯する貯湯タンクと、該貯湯タンク内の湯水を加熱する加熱手段と、前記貯湯タンクと前記加熱手段とを循環可能に接続する循環回路と、該循環回路に設けられた循環ポンプと、前記貯湯タンクに給水する給水管と、前記加熱手段の作動を制御すると共に前記循環ポンプの目標回転数を設定し前記循環ポンプを目標回転数で作動させるよう制御する制御部とを備えた貯湯式給湯装置において、前記循環ポンプの吐出側と吸込側とを接続し途中に流量調整弁を有したポンプバイパス管を設けると共に、前記貯湯タンクにかかる給水圧が低下した状態で前記循環ポンプを作動させた時に前記循環ポンプのキャビテーションが発生したことを検知するキャビテーション検知手段を設け、前記制御部は、前記キャビテーション検知手段からの検知信号を受けると、前記循環ポンプを停止させ、その後、前記流量調整弁を所定の開度に調整して、再び前記循環ポンプの作動を開始させるものとした。
【００１０】
又請求項４では、前記制御部は、前記キャビテーション検知手段からの検知信号を受けると、前記循環ポンプを停止させ、その後、前記流量調整弁を最大開度に調整して、再び循環ポンプの作動を開始させるものとした。
【００１１】
又請求項５では、請求項１から４の何れかに記載の貯湯式給湯装置において、前記循環ポンプの作動時の実回転数を検知する実回転数検知手段を設け、前記キャビテーション検知手段は、前記実回転数検知手段の検出した前記循環ポンプの実回転数に基づいて、前記循環ポンプのキャビテーションが発生したことを検知するものとした。
【００１２】
又請求項６では、湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記一次側循環ポンプの目標回転数を設定し一次側循環ポンプを目標回転数で作動させるよう制御する暖房制御部とを備えた貯湯式給湯暖房装置において、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、前記暖房ポンプキャビテーション検知手段からの検知信号を受けると、前記一次側循環ポンプを停止させ、その後、前記目標回転数をそれまでよりも低い回転数に補正して、再び前記一次側循環ポンプの作動を開始させるものとした。
【００１３】
又請求項７では、湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記暖房端末と前記暖房用熱交換器とを循環可能に接続する二次側循環回路と、該二次側循環回路に設けられた二次側循環ポンプと、前記一次側循環ポンプの目標回転数を設定し一次側循環ポンプを目標回転数で作動させるよう制御する暖房制御部とを備えた貯湯式給湯暖房装置において、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、一次側循環ポンプ及び二次側循環ポンプを作動させ前記暖房用熱交換器により熱交換させ前記暖房端末により室内の暖房を行う暖房運転時に、前記暖房ポンプキャビテーション検知手段からの検知信号を受けると、エラーの報知を行うと共に前記一次側循環ポンプを停止させ、その後、前記目標回転数をそれまでよりも低い回転数に補正して、再び前記一次側循環ポンプの作動を開始させるものとした。
【００１４】
又請求項８では、前記暖房制御部は、前記暖房ポンプキャビテーション検知手段からの検知信号を受けると、前記一次側循環ポンプを停止させ、その後、前記目標回転数を最低回転数に補正して、再び前記一次側循環ポンプの作動を開始させるものとした。
【００１５】
又請求項９では、前記暖房制御部は、前記暖房ポンプキャビテーション検知手段からの検知信号を受けると、前記一次側循環ポンプを停止させ、その後、前記目標回転数をそれまでよりも所定回転数低い回転数に補正して、再び前記一次側循環ポンプの作動を開始させ、その後も前記暖房ポンプキャビテーション検知手段からの検知信号を受ける場合は、前記一次側循環ポンプを停止させ、その後、前記目標回転数をそれまでよりも所定回転数低い回転数に補正して、再び前記一次側循環ポンプの作動を開始させる制御を、前記暖房ポンプキャビテーション検知手段からの検知信号を受けなくなるまで繰り返し行うものとした。
【００１６】
又請求項１０では、湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記一次側循環ポンプの目標回転数を設定し一次側循環ポンプを目標回転数で作動させるよう制御する暖房制御部とを備えた貯湯式給湯暖房装置において、前記一次側循環ポンプの吐出側と吸込側とを接続し途中に暖房流量調整弁を有した暖房ポンプバイパス管を設けると共に、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、前記暖房ポンプキャビテーション検知手段からの検知信号を受けると、前記一次側循環ポンプを停止させ、その後、前記暖房流量調整弁を所定の開度に調整して、再び前記一次側循環ポンプの作動を開始させるものとした。
【００１７】
又請求項１１では、湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記暖房端末と前記暖房用熱交換器とを循環可能に接続する二次側循環回路と、該二次側循環回路に設けられた二次側循環ポンプと、前記一次側循環ポンプの目標回転数を設定し一次側循環ポンプを目標回転数で作動させるよう制御する暖房制御部とを備えた貯湯式給湯暖房装置において、前記一次側循環ポンプの吐出側と吸込側とを接続し途中に暖房流量調整弁を有した暖房ポンプバイパス管を設けると共に、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、一次側循環ポンプ及び二次側循環ポンプを作動させ前記暖房用熱交換器により熱交換させ前記暖房端末により室内の暖房を行う暖房運転時に、前記暖房ポンプキャビテーション検知手段からの検知信号を受けると、エラーの報知を行うと共に前記一次側循環ポンプを停止させ、その後、前記暖房流量調整弁を所定の開度に調整して、再び前記一次側循環ポンプの作動を開始させるものとした。
【００１８】
又請求項１２では、前記暖房制御部は、前記暖房ポンプキャビテーション検知手段からの検知信号を受けると、前記一次側循環ポンプを停止させ、その後、前記暖房流量調整弁を最大開度に調整して、再び一次側循環ポンプの作動を開始させるものとした。
【００１９】
又請求項１３では、前記暖房制御部は、前記暖房ポンプキャビテーション検知手段からの検知信号を受けると、前記一次側循環ポンプを停止させ、その後、前記暖房流量調整弁を最大開度に調整して、再び前記一次側循環ポンプの作動を開始させ、その後徐々に前記暖房流量調整弁の開度を減少させていき、一次側循環ポンプのキャビテーションが発生することのない開度に調整するものとした。
【００２０】
又請求項１４では、請求項６から１３の何れかの貯湯式給湯暖房装置において、前記一次側循環ポンプの作動時の実回転数を検出する暖房ポンプ実回転数検知手段を設け、前記暖房ポンプキャビテーション検知手段は、前記暖房ポンプ実回転数検知手段の検出した前記一次側循環ポンプの実回転数に基づいて、前記一次側循環ポンプのキャビテーションが発生したことを検知するものとした。
【００２１】
又請求項１５では、湯水を貯湯する貯湯タンクと、該貯湯タンク内の湯水を加熱する加熱手段と、前記貯湯タンクと前記加熱手段とを循環可能に接続する循環回路と、該循環回路に設けられた循環ポンプと、前記貯湯タンクに給水する給水管と、前記加熱手段の作動を制御すると共に前記循環ポンプの目標回転数を設定し前記循環ポンプを目標回転数で作動させるよう制御する制御部とを備えた貯湯式給湯装置において、給水圧が低下したことを検知する給水圧低下検知手段を設け、前記制御部は、前記給水圧低下検知手段からの検知信号を受けると、前記循環ポンプの前記目標回転数を最低回転数に設定し、前記循環ポンプを作動させたときに前記循環ポンプのキャビテーションが発生しないものとした。
【００２３】
又請求項１６では、湯水を貯湯する貯湯タンクと、該貯湯タンク内の湯水を加熱する加熱手段と、前記貯湯タンクと前記加熱手段とを循環可能に接続する循環回路と、該循環回路に設けられた循環ポンプと、前記貯湯タンクに給水する給水管と、前記加熱手段の作動を制御すると共に前記循環ポンプの目標回転数を設定し前記循環ポンプを目標回転数で作動させるよう制御する制御部とを備えた貯湯式給湯装置において、前記循環ポンプの吐出側と吸込側とを接続し途中に流量調整弁を有したポンプバイパス管を設けると共に、給水圧が低下したことを検知する給水圧低下検知手段を設け、前記制御部は、前記給水圧低下検知手段からの検知信号を受けると、前記流量調整弁を最大開度にし、前記循環ポンプを作動させたときに前記循環ポンプのキャビテーションが発生しないものとした。
【００２４】
又請求項１７では、前記給水圧低下検知手段は、前記給水管に設けられた給水圧センサが検出する給水圧に基づいて、給水圧が低下したことを検知するものとした。
【００２５】
又請求項１８では、湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記一次側循環ポンプの目標回転数を設定し一次側循環ポンプを目標回転数で作動させるよう制御する暖房制御部とを備えた貯湯式給湯暖房装置において、給水圧が低下したことを検知する給水圧低下検知手段を設け、前記暖房制御部は、前記給水圧低下検知手段からの検知信号を受けると、前記一次側循環ポンプの前記目標回転数を最低回転数に設定し、前記一次側循環ポンプを作動させたときに前記一次側循環ポンプのキャビテーションが発生しないものとした。
【００２６】
又請求項１９では、湯水を貯湯する貯湯タンクと、該貯湯タンク内の湯水を加熱する加熱手段と、前記貯湯タンクに給水する給水管と、前記貯湯タンク内の湯水と暖房端末側の熱媒とを熱交換する暖房用熱交換器と、前記貯湯タンクと前記暖房熱交換器とを循環可能に接続する一次側循環回路と、該一次側循環回路に設けられた一次側循環ポンプと、前記一次側循環ポンプの目標回転数を設定し一次側循環ポンプを目標回転数で作動させるよう制御する暖房制御部とを備えた貯湯式給湯暖房装置において、前記一次側循環ポンプの吐出側と吸込側とを接続し途中に暖房流量調整弁を有した暖房ポンプバイパス管を設けると共に、給水圧が低下したことを検知する給水圧低下検知手段を設け、前記暖房制御部は、前記給水圧低下検知手段からの検知信号を受けると、前記暖房流量調整弁を最大開度にし、前記一次側循環ポンプを作動させたときに前記一次側循環ポンプのキャビテーションが発生しないものとした。
【００２７】
又請求項２０では、前記給水圧低下検知手段は、前記給水管に設けられた給水圧センサが検出する給水圧に基づいて、給水圧が低下したことを検知するものとした。
【発明の効果】
【００２８】
この発明の請求項１によれば、前記貯湯タンクにかかる給水圧が低下した状態で前記循環ポンプを作動させた時に前記循環ポンプのキャビテーションが発生したことを検知するキャビテーション検知手段を設け、前記制御部は、前記キャビテーション検知手段からの検知信号を受けると、前記循環ポンプを停止させ、その後、前記目標回転数をそれまでよりも低い回転数に補正して、再び前記循環ポンプの作動を開始させ前記循環ポンプの作動時に前記循環ポンプのキャビテーションが発生したことを検知するキャビテーション検知手段を設け、前記制御部は、前記キャビテーション検知手段からの検知信号を受けると、前記循環ポンプを停止させるので、キャビテーションに起因した循環ポンプで生じる騒音や振動や壊食を最小限に抑えることができ、循環ポンプの寿命が縮むのを抑制することができるものであり、さらに、循環ポンプの前記目標回転数をそれまでよりも低い回転数に補正することで、 再び循環ポンプの作動を開始させてもキャビテーションが発生するおそれを低減することができ、循環回路内の循環不良を招くことがないものである。
【００２９】
又請求項２によれば、前記制御部は、前記キャビテーション検知手段からの検知信号を受けると、前記循環ポンプを停止させ、その後、循環ポンプの前記目標回転数を最低回転数に補正するので、再び循環ポンプの作動を開始させてもキャビテーションが発生することなく、循環回路内の循環不良を招くことがないものである。
【００３１】
又請求項３によれば、前記循環ポンプの吐出側と吸込側とを接続し途中に流量調整弁を有したポンプバイパス管を設けると共に、前記貯湯タンクにかかる給水圧が低下した状態で前記循環ポンプを作動させた時に前記循環ポンプのキャビテーションが発生したことを検知するキャビテーション検知手段を設け、前記制御部は、前記キャビテーション検知手段からの検知信号を受けると、前記循環ポンプを停止させるので、キャビテーションに起因した循環ポンプで生じる騒音や振動や壊食を最小限に抑えることができ、循環ポンプの寿命が縮むのを抑制することができるものであり、さらに、前記循環ポンプの吐出側と吸込側とを接続したポンプバイパス管の途中に有した流量調整弁を、所定の開度に調整して前記ポンプバイパス管を流れる湯水の流量、すなわち循環ポンプの吸込側に戻る流量を調整することで、循環ポンプの吸込側にかかる圧力を補い、再び循環ポンプの作動を開始させてもキャビテーションが発生するおそれを低減することができ、循環回路内の循環不良を招くことがないものである。
【００３２】
又請求項４によれば、前記制御部は、前記キャビテーション検知手段からの検知信号を受けると、前記循環ポンプを停止させ、その後、前記流量調整弁を最大開度に調整することで、循環ポンプの吸込側に戻る流量が最大となり、循環ポンプの吸込側にかかる圧力が大きくなるので、再び循環ポンプの作動を開始させてもキャビテーションが発生することなく、循環回路内の循環不良を招くことがないものである。
【００３３】
又請求項５によれば、循環ポンプのキャビテーションが発生すると、明らかに循環ポンプの実回転数が上昇するため、前記循環ポンプの作動時の実回転数を検出する実回転数検知手段を設け、前記キャビテーション検知手段は、前記実回転数検知手段の検出した前記循環ポンプの実回転数に基づいて、前記循環ポンプのキャビテーションが発生したことを検知するので、簡単な制御で確実に循環ポンプのキャビテーションが発生したことを検知することができるものである。
【００３４】
又請求項６によれば、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、前記暖房ポンプキャビテーション検知手段からの検知信号を受けると、前記一次側循環ポンプを停止させるので、キャビテーションに起因した一次側循環ポンプで生じる騒音や振動や壊食を最小限に抑えることができ、一次側循環ポンプの寿命が縮むのを抑制することができるものであり、さらに、一次側循環ポンプの前記目標回転数をそれまでよりも低い回転数に補正することで、再び一次側循環ポンプの作動を開始させてもキャビテーションが発生するおそれを低減することができ、一次側循環回路内の循環不良を招くことがなく一次側循環回路の凍結防止ができるものであると共に、室内を無暖房状態にしてしまうことがないものである。
【００３５】
又請求項７によれば、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、暖房運転時に、前記暖房ポンプキャビテーション検知手段からの検知信号を受けると、前記一次側循環ポンプを停止させるので、キャビテーションに起因した一次側循環ポンプで生じる騒音や振動や壊食を最小限に抑えることができ、一次側循環ポンプの寿命が縮むのを抑制することができるものであり、さらに、エラーの報知を行うことで、ユーザーにそれまでの正常な暖房運転とは異なることを注意喚起しつつ、前記目標回転数をそれまでよりも低い回転数に補正して、再び一次側循環ポンプの作動を開始させてもキャビテーションが発生するおそれを低減することができ、一次側循環回路内の循環不良を招くことがなく、無暖房状態にしてしまうことがないものである。
【００３６】
又請求項８によれば、前記暖房制御部は、前記暖房ポンプキャビテーション検知手段からの検知信号を受けると、前記一次側循環ポンプを停止させ、その後、前記目標回転数を最低回転数に補正することにより、再び一次側循環ポンプの作動を開始させてもキャビテーションが発生することなく、一次側循環回路内の循環不良を招くことがないので、室内の最低限の暖房ができ、室内を無暖房状態にしてしまうことがないものである。
【００３７】
又請求項９によれば、前記暖房制御部は、前記暖房ポンプキャビテーション検知手段からの検知信号を受けると、前記一次側循環ポンプを停止させ、その後、前記目標回転数をそれまでよりも所定回転数低い回転数に補正して、再び前記一次側循環ポンプの作動を開始させ、その後も前記暖房ポンプキャビテーション検知手段からの検知信号を受ける場合は、前記一次側循環ポンプを停止させ、その後、前記目標回転数をそれまでよりも所定回転数低い回転数に補正して、再び前記一次側循環ポンプの作動を開始させる制御を、前記暖房ポンプキャビテーション検知手段からの検知信号を受けなくなるまで繰り返し行うことにより、一次側循環ポンプを作動させてもキャビテーションが発生することなく、一次側循環回路内の循環不良を招くことがない最大の状態で暖房運転を行い室内を暖房することができるものである。
【００３８】
又請求項１０によれば、前記一次側循環ポンプの吐出側と吸込側とを接続し途中に暖房流量調整弁を有した暖房ポンプバイパス管を設けると共に、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、前記暖房ポンプキャビテーション検知手段からの検知信号を受けると、前記一次側循環ポンプを停止させることで、キャビテーションに起因した一次側循環ポンプで生じる騒音や振動や壊食を最小限に抑えることができ、一次側循環ポンプの寿命が縮むのを抑制することができるものであり、さらに、前記一次側循環ポンプの吐出側と吸込側とを接続した暖房ポンプバイパス管の途中に有した暖房流量調整弁を、所定の開度に調整して前記暖房ポンプバイパス管を流れる湯水の流量、すなわち一次側循環ポンプの吸込側に戻る流量を調整することで、一次側循環ポンプの吸込側にかかる圧力を補い、再び一次側循環ポンプの作動を開始させてもキャビテーションが発生するおそれを低減することができ、一次側循環回路内の循環不良を招くことがなく一次側循環回路の凍結防止ができるものであると共に、室内を無暖房状態にしてしまうことがないものである。
【００３９】
又請求項１１によれば、前記一次側循環ポンプの吐出側と吸込側とを接続し途中に暖房流量調整弁を有した暖房ポンプバイパス管を設けると共に、前記貯湯タンクにかかる給水圧が低下した状態で前記一次側循環ポンプを作動させた時に前記一次側循環ポンプのキャビテーションが発生したことを検知する暖房ポンプキャビテーション検知手段を設け、前記暖房制御部は、暖房運転時に、前記暖房ポンプキャビテーション検知手段からの検知信号を受けると、前記一次側循環ポンプを停止させるので、キャビテーションに起因した一次側循環ポンプで生じる騒音や振動や壊食を最小限に抑えることができ、一次側循環ポンプの寿命が縮むのを抑制することができるものであり、さらにエラーの報知を行うことで、ユーザーにそれまでの正常な暖房運転とは異なることを注意喚起しつつ、前記一次側循環ポンプの吐出側と吸込側とを接続した暖房ポンプバイパス管の途中に有した暖房流量調整弁を、所定の開度に調整して前記暖房ポンプバイパス管を流れる湯水の流量、すなわち一次側循環ポンプの吸込側に戻る流量を調整することで、一次側循環ポンプの吸込側にかかる圧力を補い、再び一次側循環ポンプの作動を開始させてもキャビテーションが発生するおそれを低減することができ、一次側循環回路内の循環不良を招くことがなく、室内を無暖房状態にしてしまうことがないものである。
【００４０】
又請求項１２によれば、前記暖房制御部は、前記暖房ポンプキャビテーション検知手段からの検知信号を受けると、前記一次側循環ポンプを停止させ、その後、前記暖房流量調整弁を最大開度に調整することにより、一次側循環ポンプの吸込側に戻る流量が最大となり、一次側循環ポンプの吸込側にかかる圧力が大きくなるので、再び一次側循環ポンプの作動を開始させてもキャビテーションが発生することがないので、一次側循環回路内の循環不良を招くことがなく、室内の最低限の暖房ができ、室内を無暖房状態にしてしまうことがないものである。
【００４１】
又請求項１３によれば、前記暖房制御部は、前記暖房ポンプキャビテーション検知手段からの検知信号を受けると、前記一次側循環ポンプを停止させ、その後、前記暖房流量調整弁を最大開度に調整して、再び前記一次側循環ポンプの作動を開始させ、その後徐々に前記暖房流量調整弁の開度を減少させていき、一次側循環ポンプの吸込側に戻る流量を徐々に減少させて、暖房用熱交換器を流通する一次側循環回路の流量を多くし、一次側循環ポンプのキャビテーションが発生することのない開度に調整するので、一次側循環ポンプを作動させてもキャビテーションが発生することなく、一次側循環回路内の循環不良を招くことがない状態で暖房能力を大きくすることができ、室内を暖房することができるものである。
【００４２】
又請求項１４によれば、一次側循環ポンプのキャビテーションが発生すると、明らかに一次側循環ポンプの実回転数が上昇するため、前記一次側循環ポンプの作動時の実回転数を検出する暖房ポンプ実回転数検知手段を設け、前記暖房ポンプキャビテーション検知手段は、前記暖房ポンプ実回転数検知手段の検出した前記一次側循環ポンプの実回転数に基づいて、前記一次側循環ポンプのキャビテーションが発生したことを検知するので、簡単な制御で確実に一次側循環ポンプのキャビテーションが発生したことを検知することができるものである。
【００４３】
又請求項１５によれば、給水圧が低下したことを検知する給水圧低下検知手段を設け、前記制御部は、前記給水圧低下検知手段からの検知信号を受けると、前記循環ポンプの前記目標回転数を最低回転数に設定し、前記循環ポンプを作動させたときに前記循環ポンプのキャビテーションが発生しないようにしたので、循環ポンプを作動させてもキャビテーションが発生することなく、循環回路内の循環不良を招くことがなく循環回路の凍結防止ができるものであり、さらに、循環ポンプのキャビテーションに起因した循環ポンプで生じる騒音や振動や壊食を未然に防止すると共に循環ポンプの寿命が縮むのを未然に防止することができるものである。
【００４５】
又請求項１６によれば、給水圧が低下したことを検知する給水圧低下検知手段を設け、前記制御部は、前記給水圧低下検知手段からの検知信号を受けると、前記循環ポンプの吐出側と吸込側とを接続したポンプバイパス管の途中に有した流量調整弁を最大開度にし、前記循環ポンプを作動させたときに前記循環ポンプのキャビテーションが発生しないようにするので、循環ポンプを作動させてもキャビテーションが発生することなく、循環回路内の循環不良を招くことがなく循環回路の凍結防止ができるものであり、さらに、循環ポンプのキャビテーションに起因した循環ポンプで生じる騒音や振動や壊食を未然に防止すると共に循環ポンプの寿命が縮むのを未然に防止することができるものである。
【００４６】
又請求項１７によれば、前記給水圧低下検知手段は、前記給水管に設けられた給水圧センサが検出する給水圧に基づいて、給水圧が低下したことを検知するようにしたので、簡単な構成で確実に給水圧の低下を検知することができるものである。
【００４７】
又請求項１８によれば、給水圧が低下したことを検知する給水圧低下検知手段を設け、前記暖房制御部は、前記給水圧低下検知手段からの検知信号を受けると、前記一次側循環ポンプの前記目標回転数を最低回転数に設定し、前記一次側循環ポンプを作動させたときに前記一次側循環ポンプのキャビテーションが発生しないようにしたので、一次側循環ポンプを作動させてもキャビテーションが発生することなく、一次側循環回路内の循環不良を招くことがなく室内の最低限の暖房ができ、室内を無暖房状態にしてしまうことがないものであると共に、一次側循環回路内の循環不良を招くことがなく一次側循環回路の凍結防止を行うことができ、さらに、一次側循環ポンプのキャビテーションに起因した一次側循環ポンプで生じる騒音や振動や壊食を未然に防止すると共に一次側循環ポンプの寿命が縮むのを未然に防止することができるものである。
【００４８】
又請求項１９によれば、給水圧が低下したことを検知する給水圧低下検知手段を設け、前記暖房制御部は、前記給水圧低下検知手段からの検知信号を受けると、前記一次側循環ポンプの吐出側と吸込側とを接続した暖房ポンプバイパス管の途中に有した暖房流量調整弁を最大開度にし、前記一次側循環ポンプを作動させたときに前記一次側循環ポンプのキャビテーションが発生しないので、一次側循環ポンプを作動させてもキャビテーションが発生することなく、一次側循環回路内の循環不良を招くことがなく室内の最低限の暖房ができ、室内を無暖房状態にしてしまうことがないものであると共に、一次側循環回路内の循環不良を招くことがなく一次側循環回路の凍結防止を行うことができ、さらに、一次側循環ポンプのキャビテーションに起因した一次側循環ポンプで生じる騒音や振動や壊食を未然に防止すると共に一次側循環ポンプの寿命が縮むのを未然に防止することができるものである。
【００４９】
又請求項２０によれば、前記給水圧低下検知手段は、前記給水管に設けられた給水圧センサが検出する給水圧に基づいて、給水圧が低下したことを検知するようにしたので、簡単な構成で確実に給水圧の低下を検知することができるものである。
【発明を実施するための最良の形態】
【００５０】
次に、本発明の貯湯式給湯装置の第１の実施形態を図面に基づき説明する。
この貯湯式給湯装置は、時間帯別契約電力の電力単価が安価な深夜時間帯に湯水を沸き上げて貯湯し、この貯湯した高温水を給湯等に用いるもので、１は湯水を貯湯する貯湯タンク２を備えた貯湯タンクユニット、３は貯湯タンク２内の湯水を加熱する加熱手段としてのヒートポンプユニット、４は台所や洗面所等に設けられた給湯栓、５はこの給湯栓４の近傍に設けられ表示部６と各種の運転指示を行う各スイッチを備えた操作部とを有したリモコン装置としての給湯リモコンである。
【００５１】
前記貯湯タンクユニット１の貯湯タンク２には、上端に出湯管７と、下端に給水管８とが接続され、さらに、下部に循環回路９を構成する往き管１０と、上部に循環回路９を構成する戻り管１１とが接続され、貯湯タンク２とヒートポンプユニット３とを循環可能に接続し、往き管１０から取り出した貯湯タンク２内の湯水をヒートポンプユニット３によって沸き上げて戻り管１１から貯湯タンク２内に戻して貯湯され、給水管８からの給水により貯湯タンク２内の湯水が押し上げられて貯湯タンク２内上部の高温水が出湯管７から給湯されるものである。
【００５２】
１２は戻り管１１の途中から分岐した凍結バイパス管で、この凍結バイパス管１２はその一端が戻り管１１の途中に流路切替手段としての切替弁１３を介して接続され、他端が貯湯タンク２の下部に接続されており、この切替弁１３は、往き管１０から凍結バイパス管１２を介して貯湯タンク２の下部に（バイパス側に）流路を切り替える第１の状態と、往き管１０から戻り管１１を介して貯湯タンク２の上部に（沸き上げ側に）流路に切り替える第２の状態とに設定可能となっているものである。
【００５３】
１４は給水管８から分岐されて貯湯タンク２をバイパスする給水バイパス管、１５は出湯管７からの湯と給水バイパス管１４からの水とを混合して給湯設定温度の湯に混合する給湯混合弁、１６は給湯混合弁１５で混合された湯を給湯栓４に給湯する給湯管、１７は給湯混合弁１５の直後の給湯管１６に設けられ給湯混合弁１５で混合された湯の温度を検出する給湯温度センサ、１８は給湯する湯水の量をカウントする給湯流量カウンタである。なお、前記給湯混合弁１５は給湯温度センサ１７で検出する温度が給湯リモコン５で設定された給湯設定温度になるように弁体を移動させるモータが駆動されてその混合比率が制御されるものである。
【００５４】
１９は貯湯タンク２の過圧を逃す過圧逃し弁、２０は給水の温度を検出する給水温度センサ、２１は給水の圧力を減圧する減圧弁で、この減圧弁２１は貯湯タンク２内の湯水を減圧弁２１より上流側へ逆流させない逆止弁の機能を併せ持つものである。また、２２は屋外の給水管８に接続され、寒冷地方や凍結の可能性がある地域において冬期に減圧弁２１より上流側で給水管８内の水を抜き給水管８の凍結を防止することが可能な不凍水栓である。
【００５５】
２３は貯湯タンク２の側面の上下方向に複数個設けられた貯湯温度センサで、この実施形態では５つの貯湯温度センサ２３が配置されているものであり、この貯湯温度センサ２３が検出する温度情報によって、貯湯タンク２内にどれだけの熱量が残っているかを検知し、そして貯湯タンク２内の上下方向の温度分布を検知するものである。また、２４は貯湯タンクユニット１内の各センサの入力を受け各アクチュエータの作動を制御するマイコンを有する貯湯制御部であり、給湯リモコン５と通信可能に接続されているものである。
【００５６】
前記ヒートポンプユニット３は、冷媒を圧縮する回転数可変の圧縮機２５、凝縮器としての水冷媒熱交換器２６と、減圧手段としての電子膨張弁２７と、強制空冷式の蒸発器としての空気熱交換器２８とで構成されたヒートポンプ回路２９と、前記往き管１０に設けられ貯湯タンク２内の湯水を水冷媒熱交換器２６に循環させる循環ポンプ３０と、空気熱交換器２８に送風する室外ファン３１と、外気の温度を検出する外気温度検出手段としての外気温度センサ３２と、ヒートポンプユニット３内の往き管１０に設けられ水冷媒熱交換器２６に流入する湯水温度を検出する熱交入口温度センサ３３と、ヒートポンプユニット３内の戻り管１１に設けられ水冷媒熱交換器２６から流出した湯水温度を検出する熱交出口温度センサ３４と、貯湯タンク２内の湯水を沸き上げる沸き上げ動作時における圧縮機２５や電子膨張弁２７や室外ファン３１の作動の制御や循環ポンプ３０の目標回転数を設定し循環ポンプ３０を目標回転数で作動させる等の制御を行う制御部としてのヒーポン制御部３５とを備えており、ヒートポンプ回路２９内には冷媒として二酸化炭素が用いられて超臨界ヒートポンプサイクルを構成しているものである。なお、前記ヒーポン制御部３５は前記貯湯制御部２４と通信可能に接続されているものである。
【００５７】
前記ヒーポン制御部３５は、循環ポンプ３０の作動時に循環ポンプ３０のキャビテーションが発生したことを検知するキャビテーション検知手段３６と、循環ポンプ３０の作動時に循環ポンプ３０からの信号を受け循環ポンプ３０の実回転数を検知する実回転数検知手段３７とを有しているものである。なお、前記循環ポンプ３０のキャビテーションは、例えば、断水になったり冬期等において不凍水栓２２を開栓し減圧弁２１より上流側で給水管８内の水が抜かれる等により、貯湯タンク２にかかる給水圧が低下または遮断した状態で、貯湯タンク２内の湯水を加熱する沸き上げ動作時や循環回路９の凍結防止のために循環ポンプ３０を作動させると発生するおそれがあるもので、循環ポンプ３０のキャビテーションが発生すると、循環ポンプ３０の実回転数が前記沸き上げ動作時や循環回路９の凍結防止の時に通常使用する作動範囲（例えば３００ｒｐｍ〜４０００ｒｐｍ）を超えた異常回転数（例えば７０００ｒｐｍ）になるため、キャビテーション検知手段３６は、実回転数検知手段３７で検知した回転数が所定の回転数（例えば、６０００ｒｐｍ）を超えたかどうかを判断して、前記所定の回転数を超えていれば、ヒーポン制御部３５に検知信号を出力するものであり、循環ポンプ３０の実回転数を検知することで容易に循環ポンプ３０のキャビテーションの発生を検知することができるものである。
【００５８】
次に、この第１の実施形態の作動を説明する。
先ず、沸き上げ動作について説明すると、貯湯制御部２４は、深夜電力時間帯になって貯湯温度センサ２３が貯湯タンク２内に翌日に必要な熱量が残っていないことを検出すると、翌日に必要とされるであろう貯湯熱量を演算し、ヒーポン制御部３５に対して沸き上げ開始指令を発する。指令を受けたヒーポン制御部３５は圧縮機２５及び循環ポンプ３０の作動を開始させる。このときの切替弁１３は、第２の状態、つまり沸き上げ側（貯湯タンク２の上部側）に流路が切り替えられた状態であり、貯湯タンク２下部に接続された往き管１０から取り出した低温水を水冷媒熱交換器２６で高温に加熱し、貯湯タンク２上部に接続された戻り管１１から貯湯タンク２内に戻し、貯湯タンク２の上部から順次積層して高温水を貯湯していく。貯湯温度センサ２３が必要な熱量が貯湯されたことを検出すると、貯湯制御部２４はヒーポン制御部３５に対して沸き上げ停止指令を発し、ヒーポン制御部３５は圧縮機２５及び循環ポンプ３０の作動を停止して沸き上げ動作を終了するものである。また、深夜電力時間帯以外の時間帯であっても貯湯タンク２内に必要な熱量が残っていない場合は前記沸き上げ動作を行うものである。
【００５９】
次に、低外気温時における循環回路９の凍結防止動作について説明すると、外気温度センサ３２が検出する外気温度が所定温度以下を検出した時に、ヒーポン制御部３５は切替弁１３を第１の状態、つまり凍結バイパス管１２側に流路を切り替えて、循環ポンプ３０の作動を開始させ、貯湯タンク２下部に接続された往き管１０から取り出した低温水を水冷媒熱交換器２６、戻り管１１、凍結バイパス管１２を順に循環させることで循環回路９の凍結を防止するものである。そして、例えば予め設定された所定時間が経過してその時に熱交入口温度センサ３３または熱交出口温度センサ３４の検出する湯水の温度が所定温度以上であった場合に、循環ポンプ３０の作動を停止し循環回路９の凍結防止動作を終了するものである。なお、循環ポンプ３０の作動による循環だけでは循環回路９の凍結のおそれが解消しない場合は、圧縮機２５を低能力で作動させて、循環回路９を循環する湯水を水冷媒熱交換器２６で加熱して、循環通路９の凍結を防止するものである。
【００６０】
次に、前記凍結防止動作中に循環ポンプ３０のキャビテーションが発生した場合の作動について図３に示すフローチャートを用いて説明すると、ヒーポン制御部３５は、外気温度センサ３２が検出する外気温度に基づいて、外気温度が所定温度、例えば３℃以下になったか否かを判断し（ステップＳ１）、外気温度が所定温度以下になったと判断すると、循環回路９の凍結防止が必要だとして切替弁１３を第１の状態、つまり凍結バイパス管１２側に切り替え、凍結防止動作用の循環ポンプ３０の目標回転数（例えば、２０００ｒｐｍ）を設定し循環ポンプ３０の作動を開始させ凍結防止動作を開始し（ステップＳ２）、循環ポンプ３０を目標回転数で作動（稼働）させるよう制御する。続いて、実回転検知手段３７は循環ポンプ３０の実回転数を検知し（ステップＳ３）、そして、ヒーポン制御部３５はキャビテーション検知手段３６からの検知信号の出力があるか否かを判断する（ステップＳ４）。
【００６１】
ここで、前記ステップＳ４では、キャビテーション検知手段３６は、実回転数検知手段３７で検知する循環ポンプ３０の実回転数を監視し、その実回転数に基づいて、実回転数検知手段３７で検知した回転数が所定の回転数（例えば、６０００ｒｐｍ）を超えたかどうかを判断して、前記所定の回転数を超えていれば、循環ポンプ３０のキャビテーションが発生したことを検知して、ヒーポン制御部３５に検知信号を出力するものであり、また、循環ポンプ３０のキャビテーションは、例えば、断水になったり冬期等において不凍水栓２２を開栓し減圧弁２１より上流側で給水管８内の水が抜かれる等により、貯湯タンク２にかかる給水圧が低下または遮断した状態で、循環回路９の凍結防止のために循環ポンプ３０を作動させたり、沸き上げ動作を行うにあたり循環ポンプ３０を作動させると発生するおそれがあるものである。
【００６２】
前記ステップＳ４でヒーポン制御部３５はキャビテーション検知手段３６からの検知信号を受けると、循環ポンプ３０を停止させ（ステップＳ５）、前記目標回転数をそれまでよりも低い回転数に補正、ここでは目標回転数を最低回転数（例えば３００ｒｐｍ）に補正して（ステップＳ６）、再び循環ポンプ３０の作動を開始させ（ステップＳ７）、循環回路９の凍結防止を継続し、その後、循環回路９の凍結防止が完了したか否かを判断し（ステップＳ８）、例えば予め設定された所定時間が経過してその時に熱交入口温度センサ３３の検出する湯水の温度が所定温度（例えば１０℃）以上になり循環回路９の凍結防止が完了したと判断すれば、循環ポンプ３０の作動を停止させて循環回路９の凍結防止動作を終了するものである。
【００６３】
一方、ヒーポン制御部３５は前記ステップＳ４で循環ポンプ３０のキャビテーションが発生していないと判断したら、循環回路９の凍結防止が完了したか否かを判断し（ステップＳ９）、前記ステップＳ９で凍結防止が完了したと判断すれば、循環ポンプ３０の作動を停止させて循環回路９の凍結防止動作を終了するものであり、前記ステップＳ９で凍結防止が完了していないと判断すれば、再びステップＳ３の処理に戻るものである。なお、上記の凍結防止動作で、循環ポンプ３０の作動による循環だけでは循環回路９の凍結のおそれが解消しない場合は、圧縮機２５を低能力で作動させて、循環回路９を循環する湯水を水冷媒熱交換器２６で加熱してもよいものである。
【００６４】
以上説明した凍結防止動作中に循環ポンプ３０のキャビテーションが発生した場合の作動において、前記ステップＳ４でキャビテーション検知手段３６が循環ポンプ３０のキャビテーション検知すると、ヒーポン制御部３５はキャビテーション検知手段３６からの検知信号を受け、前記ステップＳ５で循環ポンプ３０を停止させるので、キャビテーションに起因した循環ポンプ３０で生じる騒音や振動や壊食を最小限に抑えることができ、循環ポンプ３０の寿命が縮むのを抑制することができるものであり、さらに、前記ステップＳ６で循環ポンプ３０の前記目標回転数をそれまでよりも低い回転数に補正することで、循環ポンプ３０を作動させてもキャビテーションが発生するおそれを低減することができるものである。なお、この第１の実施形態ではステップＳ６で目標回転数を最低回転数に補正したので、その後に循環ポンプ３０を作動させてもキャビテーションが発生することないものであり、循環回路９内の循環不良を招かずに循環回路９の凍結を防止することができるものである。
【００６５】
また、循環ポンプ３０のキャビテーションが発生すると、循環ポンプ３０の実回転数が循環回路９の凍結防止の時に通常使用する作動範囲を超えた異常な回転数になるため、前記ステップＳ３で実回転数検知手段３７により循環ポンプ３０作動時の実回転数を検知し、キャビテーション検知手段３６は実回転数検知手段３７の検知する循環ポンプ３０の実回転数を監視し、その実回転数に基づいて循環ポンプ３０のキャビテーションが発生したことを検知するので、簡単な制御で確実に循環ポンプ３０のキャビテーションが発生したことを検知することができるものである。
【００６６】
次に、前記沸き上げ動作中に循環ポンプ３０のキャビテーションが発生した場合の作動について図４に示すフローチャートを用いて説明すると、貯湯制御部２４は貯湯温度センサ２３の検出する温度情報から沸き上げを開始させるか否かを判断し（ステップＳ１０）、貯湯タンク２内の湯水の沸き上げが必要と判断すると、貯湯制御部２４はヒーポン制御部３５に対して沸き上げ動作の開始指令を発する。指令を受けたヒーポン制御部３５は、圧縮機２５の作動を開始させると共に、沸き上げ動作用の前記循環ポンプ３０の目標回転数を設定し循環ポンプ３０の作動を開始させ貯湯タンク２内の湯水の沸き上げを開始し、循環ポンプ３０を目標回転数で作動させるよう制御する。なお、このときの切替弁１３は第２の状態、つまり沸き上げ側（貯湯タンク２の上部側）に切り替えられた状態である。続いて、実回転数検知手段３７は循環ポンプ３０の実回転数を検知し（ステップＳ１１）、そして、ヒーポン制御部３５はキャビテーション検知手段３６からの検知信号の出力があるか否かを判断する（ステップＳ１２）。
【００６７】
前記ステップＳ１２でヒーポン制御部３５はキャビテーション検知手段３６からの検知信号を受けると、圧縮機２５及び循環ポンプ３０の作動を停止して沸き上げ動作を停止させる（ステップＳ１３）と共に、給湯リモコン５の表示部６に循環ポンプ３０でキャビテーションが発生したことを意味するエラーコードを表示させ給湯リモコン５のスピーカ（図示せず）から警報音を発する等によりエラーが発生したことを報知させ（ステップＳ１４）、続いて、エラーが解除されたか否かを判断し（ステップＳ１５）、エラーが解除されると沸き上げ動作が再開され（ステップＳ１６）、エラーが解除されないと沸き上げ動作を行わないようにしている。そして、貯湯制御部２４が貯湯温度センサ２３の検出する温度情報から当初予定していた必要とされるであろう貯湯熱量を沸き上げたか否か、すなわち沸き上げが完了したか否かを判断し（ステップＳ１７）、沸き上げが完了したと判断すると、貯湯制御部２４はヒーポン制御部３５に対して沸き上げ動作停止指令を発し、ヒーポン制御部３５は圧縮機２５及び循環ポンプ３０の作動を停止して沸き上げ動作を終了するものである。なお、前記ステップＳ１５のエラーが解除は、例えば、給湯リモコン５で所定の操作を行うことにより為されるものである。
【００６８】
一方、ヒーポン制御部３５が前記ステップＳ１２で循環ポンプ３０のキャビテーションが発生していないと判断したら、続いて貯湯制御部２４は貯湯温度センサ２３の検出する温度情報から貯湯タンク２内の湯水の沸き上げが完了したか否かを判断し（ステップＳ１８）、沸き上げが完了したと判断すると、貯湯制御部２４はヒーポン制御部３５に対して沸き上げ動作停止指令を発し、ヒーポン制御部３５は圧縮機２５及び循環ポンプ３０の作動を停止して沸き上げ動作を終了するものであり、沸き上げが完了していないと判断したら、再びステップＳ１１の処理に戻るものである。
【００６９】
以上説明した沸き上げ動作中に循環ポンプ３０のキャビテーションが発生した場合の作動において、前記沸き上げ動作時に前記ステップＳ１２でキャビテーション検知手段３６が循環ポンプ３０のキャビテーション検知すると、ヒーポン制御部３５はキャビテーション検知手段３６からの検知信号を受け、前記ステップＳ１３で前記沸き上げ動作を停止させるので、キャビテーションに起因した循環ポンプ３０で生じる騒音や振動や壊食を最小限に抑えることができ、循環ポンプ３０の寿命が縮むのを抑制することができ、さらに前記ステップＳ１４でエラーの報知を行うことで、ユーザーに注意喚起できると共に、ユーザーは沸き上げを停止した原因（断水が生じているもしくは不凍水栓２２が開栓していることにより給水圧が低下した）を把握でき、その上、前記ステップＳ１５でエラーが解除されるまで前記沸き上げ動作を行わないようにしたので、循環ポンプ３０作動に伴うキャビテーションの再発を未然に防ぐことができ、次回沸き上げ動作を行う時であっても安心・安全な状態で使用できるものである。
【００７０】
また、循環ポンプ３０のキャビテーションが発生すると、循環ポンプ３０の実回転数が循環回路９の凍結防止の時に通常使用する作動範囲を超えた異常な回転数になるため、前記ステップＳ１１で実回転数検知手段３７により循環ポンプ３０作動時の実回転数を検知し、キャビテーション検知手段３６は実回転数検知手段３７の検知する循環ポンプ３０の実回転数を監視し、その実回転数に基づいて循環ポンプ３０のキャビテーションが発生したことを検知するので、簡単な制御で確実に循環ポンプ３０のキャビテーションが発生したことを検知することができるものである。
【００７１】
なお、本発明は上記の第１の実施形態に限定されるものではなく、上記の第１の実施形態では、ヒートポンプユニット３内の往き管１０に循環ポンプ３０を設けているが、貯湯タンクユニット１内の往き管１０に循環ポンプ３０を設けてもよいものである。
【００７２】
また、キャビテーション検知手段３６及び実回転数検知手段３７は制御部であるヒーポン制御部３５が有しているが、制御部を貯湯制御部２４として貯湯制御部２４がキャビテーション検知手段３６及び実回転数検知手段３７を有していてもよいものであり、貯湯制御部２４及びヒーポン制御部３５を１つにまとめて制御部として、この制御部がキャビテーション検知手段３６及び実回転数検知手段３７を有していてもよいものであり、また、貯湯制御部２４やヒーポン制御部３５と通信可能な状態で独立してキャビテーション検知手段３６及び実回転数検知手段３７を貯湯タンクユニット１内またはヒートポンプユニット３内に設けてもよいものである。
【００７３】
また、前記ステップＳ１５でエラーが解除された後は前記ステップＳ１６で沸き上げ動作が再開され自動で当初予定されていた必要とされるであろう貯湯熱量を沸き上げることになっており、湯切れの心配がないものであるが、前記ステップＳ１５でエラーが解除された後は自動で必要最小限の最低貯湯量を沸き上げるようにしてもよく、そうすることで、この沸き上げ動作が電力単価が安価な深夜時間帯以外の時間帯に行われたとしてもランニングコストを抑えることができ給湯等に必要な貯湯量を最低限保持することができるものであり、また、前記ステップＳ１５でエラーが解除された後はユーザーが手動で自ら沸き上げる貯湯量を決定してもよく、そうすることでユーザが用途に応じて貯湯量を自由に設定し有効に貯湯水を使用することができるものである。
【００７４】
次に、本発明の第２の実施形態について説明するが、この実施形態は先に説明した第１の実施形態と同一部分については同一符号を付し説明を省略して相違する構成や作動についてのみ説明する。
３８は前記循環ポンプ３０の吐出側と吸込側とを接続するポンプバイパス管、３９はポンプバイパス管３８の途中に設けられた流量調整弁であり、この流量調整弁３９は、先に説明した循環ポンプ３０のキャビテーションが発生していない場合は、通常閉状態である。また、循環ポンプ３０のキャビテーションが発生した場合は、流量調整弁３９の開度を閉状態から開くように調整することで、ポンプバイパス管３８を流れる湯水の流量、すなわち循環ポンプ３０の吐出側から吸込側に戻る流量を調整し、循環ポンプ３０の吸込側にかかる圧力を補い循環ポンプ３０のキャビテーション発生を防ぐものである。
【００７５】
次に、この第２の実施形態において前記凍結防止動作中に循環ポンプ３０のキャビテーションが発生した場合の作動について図７に示すフローチャートを用いて説明すると、ヒーポン制御部３５は、外気温度センサ３２が検出する外気温度に基づいて、外気温度が所定温度以下になったか否かを判断し（ステップＳ１９）、外気温度が所定温度以下になったと判断すると、循環回路９の凍結防止が必要だとして切替弁１３を第１の状態、つまり凍結バイパス管１２側に切り替え、循環ポンプ３０の目標回転数を設定し循環ポンプ３０の作動を開始させ凍結防止動作を開始し（ステップＳ２０）、循環ポンプ３０を目標回転数で作動させるよう制御する。続いて、実回転検知手段３７は循環ポンプ３０の実回転数を検知し（ステップＳ２１）、そして、ヒーポン制御部３５はキャビテーション検知手段３６からの検知信号の出力があるか否かを判断する（ステップＳ２２）。
【００７６】
ここで、前記ステップＳ２２では、キャビテーション検知手段３６は実回転数検知手段３７で検知する循環ポンプ３０の実回転数を監視し、その実回転数に基づいて、実回転数検知手段３７で検知した回転数が所定の回転数（例えば、６０００ｒｐｍ）を超えたかどうかを判断して、前記所定の回転数を超えていれば、循環ポンプ３０のキャビテーションが発生したことを検知して、ヒーポン制御部３５に検知信号を出力するものであり、また、循環ポンプ３０のキャビテーションは、例えば、断水になったり冬期等において不凍水栓２２を開栓し減圧弁２１より上流側で給水管８内の水が抜かれる等により、貯湯タンク２にかかる給水圧が低下または遮断した状態で、循環回路９の凍結防止のために循環ポンプ３０を作動させると発生するおそれがあるものである。
【００７７】
前記ステップＳ２２でヒーポン制御部３５はキャビテーション検知手段３６からの検知信号を受けると、循環ポンプ３０を停止させ（ステップＳ２３）、流量調整弁３９を所定の開度に開度調整、ここでは流量調整弁３９を閉状態から開くように最大開度に調整して（ステップＳ２４）、再び循環ポンプ３０の作動を開始させ（ステップＳ２５）、循環回路９の凍結防止を継続し、その後、循環回路９の凍結防止が完了したか否かを判断し（ステップＳ２６）、例えば予め設定された所定時間が経過してその時に熱交入口温度センサ３３の検出する湯水の温度が所定温度以上になり循環回路９の凍結防止が完了したと判断すれば、循環ポンプ３０の作動を停止させて循環回路９の凍結防止動作を終了するものである。
【００７８】
一方、ヒーポン制御部３５は前記ステップ２２で循環ポンプ３０のキャビテーションが発生していないと判断したら、循環回路９の凍結防止が完了したか否かを判断し（ステップＳ２７）、前記ステップＳ２７で凍結防止が完了したと判断すれば、循環ポンプ３０の作動を停止させて循環回路９の凍結防止動作を終了するものであり、前記ステップＳ２７で凍結防止が完了していないと判断すれば、再びステップＳ２１の処理に戻るものである。なお、上記の凍結防止動作で、循環ポンプ３０の作動による循環だけでは循環回路９の凍結のおそれが解消しない場合は、圧縮機２５を低能力で作動させて、循環回路９を循環する湯水を水冷媒熱交換器２６で加熱してもよいものである。
【００７９】
以上説明した第２の実施形態の凍結防止動作中に循環ポンプ３０のキャビテーションが発生した場合の作動において、前記ステップＳ２２でキャビテーション検知手段３６が循環ポンプ３０のキャビテーション検知すると、ヒーポン制御部３５はキャビテーション検知手段３６からの検知信号を受け、前記ステップＳ２３で循環ポンプ３０を停止させるので、キャビテーションに起因した循環ポンプ３０で生じる騒音や振動や壊食を最小限に抑えることができ、循環ポンプ３０の寿命が縮むのを抑制することができるものであり、さらに、前記ステップＳ２４で流量調整弁３９を所定の開度に開度調整することで、前記ステップＳ２５で循環ポンプ３０の作動を再開したときに、ポンプバイパス管３８を流れる湯水の流量、すなわち循環ポンプ３０の吸込側に戻る流量を調整して循環ポンプ３０の吸込側にかかる圧力を補うことができ、循環ポンプ３０を作動させてもキャビテーションが発生するおそれを低減することができるものである。なお、この第２の実施形態ではステップＳ２４で流量調整弁３９を最大開度に調整することで、循環ポンプ３０の吸込側に戻る流量が最大となり、循環ポンプ３０の吸込側にかかる圧力が大きくなるので、ステップＳ２５で循環ポンプ３０の作動を再開させてもキャビテーションが発生することないものであり、循環回路９内の循環不良を招かずに循環回路９の凍結を防止することができるものである。
【００８０】
また、循環ポンプ３０のキャビテーションが発生すると、循環ポンプ３０の実回転数が循環回路９の凍結防止の時に通常使用する作動範囲を超えた異常な回転数になるため、前記ステップＳ２１で実回転数検知手段３７により循環ポンプ３０作動時の実回転数を検知し、キャビテーション検知手段３６は実回転数検知手段３７の検知する循環ポンプ３０の実回転数を監視し、その実回転数に基づいて循環ポンプ３０のキャビテーションが発生したことを検知するので、簡単な制御で確実に循環ポンプ３０のキャビテーションが発生したことを検知することができるものである。
【００８１】
次に、本発明の第３の実施形態について説明するが、この実施形態は先に説明した第１の実施形態と同一部分については同一符号を付し説明を省略して相違する構成や作動についてのみ説明する。
４０は暖房端末４１の熱媒（不凍液）を加熱するための暖房用熱交換器、４２は貯湯タンク２と暖房用熱交換器４０を循環可能に接続する一次側循環回路、４３は一次側循環回路４２に設けられた一次側循環ポンプ、４４は暖房用熱交換器４０を流出した一次側循環回路４２の湯水の温度を検出する一次側熱交出口温度センサであり、前記一次側循環ポンプ４３の作動により貯湯タンク２の上部から取り出した高温水を暖房用熱交換器４０に循環させ、暖房用熱交換器４０での熱交換により温度低下した中温水を貯湯タンク２の中間位置に戻すものである。
【００８２】
４５は暖房用熱交換器４０と暖房端末４１とを循環可能に接続する二次側循環回路、４６は二次側循環回路４５に設けられた二次側循環ポンプ、４７は二次側循環回路４５内を循環する熱媒の熱膨張を吸収する膨張タンク、４８は暖房用熱交換器４０に流入する二次側循環回路４５の熱媒温度を検出する二次側熱交入口温度センサ、４９は暖房用熱交換器４０を流出した二次側循環回路４５の熱媒温度を検出する二次側熱交出口温度センサ、５０は暖房端末４１の運転開始・停止の指示や設定温度を設定する暖房運転指示手段であり、前記二次側循環ポンプ４６の作動により暖房端末４１の熱媒を暖房用熱交換器４０に循環させ、暖房用熱交換器４０で一次側の高温水により加熱された熱媒を暖房端末４１で暖房あるいは乾燥に使用するものである。
【００８３】
５１は一次側熱交出口温度センサ４４、二次側熱交入口温度センサ４８、二次側熱交出口温度センサ４９の各センサの入力を受け、一次側循環ポンプ４３及び二次側循環ポンプ４６の目標回転数を設定し一次側循環ポンプ４３及び二次側循環ポンプ４６を目標回転数で作動させるよう制御する暖房制御部であり、ここで、一次側循環ポンプ４３の目標回転数は一次側熱交出口温度センサ４４、二次側熱交入口温度センサ４８、二次側熱交出口温度センサ４９の各センサの入力を受けて暖房制御部５１が適宜変更するのに対し、二次側循環ポンプ４６の目標回転数は一定であるものとする。なお、暖房制御部５１は暖房運転指示手段５０及び貯湯制御部２４と通信可能に接続されているものである。
【００８４】
前記暖房制御部５１は、一次側循環ポンプ４３の作動時に一次側循環ポンプ４３のキャビテーションが発生したことを検知する暖房ポンプキャビテーション検知手段５２と、一次側循環ポンプ４３の作動時に一次側循環ポンプ４３からの信号を受け一次側循環ポンプ４３の実回転数を検知する暖房ポンプ実回転数検知手段５３とを有しているものである。なお、前記一次側循環ポンプ４３のキャビテーションは、例えば、断水になったり冬期等において不凍水栓２２を開栓し減圧弁２１より上流側で給水管８内の水が抜かれる等により、貯湯タンク２にかかる給水圧が低下または遮断した状態で、暖房端末４１による暖房運転等を行う時や一次側循環回路４２の凍結防止のために一次側循環ポンプ４３を作動させると発生するおそれがあるもので、一次側循環ポンプ４３のキャビテーションが発生すると、一次側循環ポンプ４３の実回転数が前記暖房運転時や一次側循環回路４２の凍結防止の時に通常使用する作動範囲（例えば３００ｒｐｍ〜４０００ｒｐｍ）を超えた異常回転数（例えば７０００ｒｐｍ）になるため、暖房ポンプキャビテーション検知手段５２は、暖房ポンプ実回転数検知手段５３で検知した回転数が所定の回転数（例えば、６０００ｒｐｍ）を超えたかどうかを判断して、前記所定の回転数を超えていれば、暖房制御部５１に検知信号を出力するものであり、一次側循環ポンプ４３の実回転数を検知することで容易に一次側循環ポンプ４３のキャビテーションの発生を検知することができるものである。
【００８５】
次に、この第３の実施形態の作動を説明する。
先ず、低外気温時における一次側循環回路４２の凍結防止動作について説明すると、一次側熱交出口温度センサ４４の検出する湯水温度または外気温度センサ３２の検出する外気温度が所定温度以下を検出した時に、暖房制御部５１は一次側循環ポンプ４３の目標回転数を設定し一次側循環ポンプ４３の作動を開始させ、貯湯タンク２上部から取り出した高温水を一次側循環回路４２内を循環させることで一次側循環回路４２の凍結を防止するものであり、一次側熱交出口温度センサ４４の検出する湯水温度が所定温度以上を検出したら、一次側循環ポンプ４３の作動を停止させ、一次側循環回路４２の凍結防止動作を終了するものである。
【００８６】
次に、暖房端末４１による暖房運転について説明すると、暖房運転指示手段５０にて暖房の開始が指示され、暖房制御部５１がその入力信号を受けると、一次側循環ポンプ４３及び二次側循環ポンプ４６の目標回転数を設定し一次側循環ポンプ４３及び二次側循環ポンプ４６の作動を開始させ、貯湯タンク２内の高温水を暖房用熱交換器４０へ循環させて二次側循環回路４５内の熱媒と熱交換することで二次側循環回路４５内の熱媒を加熱され、加熱された熱媒が暖房端末４１にて放熱され暖房端末４１の設置された室内の暖房運転が行われるものである。この時、二次側循環回路４５に設けられた二次側熱交出口温度センサ４９の検出温度が所定温度になるように、暖房制御部５１は一次側熱交出口温度センサ４４、二次側熱交入口温度センサ４８、二次側熱交出口温度センサ４９の検出温度に基づき一次側循環ポンプ４３の目標回転数を適宜設定し一次側循環ポンプ４３の作動を制御するものである。そして、暖房運転指示手段５０にて暖房の停止の指示があると、暖房制御部５１はその入力信号を受け一次側循環ポンプ４３及び二次側循環ポンプ４６の作動を停止させ暖房運転を終了するものである。
【００８７】
次に、前記凍結防止動作中に一次側循環ポンプ４３のキャビテーションが発生した場合の作動について図１０に示すフローチャートを用いて説明すると、暖房制御部５１は、一次側熱交出口温度センサ４４の検出する湯水温度または外気温度センサ３２の検出する外気温度に基づいて、例えば、一次側熱交出口温度センサ４４の検出する湯水温度が所定温度（例えば３℃）以下になったか否かを判断し（ステップＳ２８）、一次側熱交出口温度センサ４４の検出する湯水温度が所定温度以下になったと判断すると、一次側循環回路４２の凍結防止が必要だとして凍結防止動作用の一次側循環ポンプ４３の目標回転数（例えば２０００ｒｐｍ）を設定し、一次側循環ポンプ４３の作動を開始させ凍結防止動作を開始し（ステップＳ２９）、一次側循環ポンプ４３を目標回転数で作動させるよう制御する。続いて、暖房ポンプ実回転検知手段５３は一次側循環ポンプ４３の実回転数を検知し（ステップＳ３０）、そして、暖房制御部５１は暖房ポンプキャビテーション検知手段５２からの検知信号の出力があるか否かを判断する（ステップＳ３１）。
【００８８】
ここで、前記ステップＳ３１では、暖房ポンプキャビテーション検知手段５２は暖房ポンプ実回転数検知手段５３で検知する一次側循環ポンプ４３の実回転数を監視し、その実回転数に基づいて、暖房ポンプ実回転数検知手段５３で検知した回転数が所定の回転数（例えば、６０００ｒｐｍ）を超えたかどうかを判断して、前記所定の回転数を超えていれば、一次側循環ポンプ４３のキャビテーションが発生したことを検知して、暖房制御部５１に検知信号を出力するものであり、また、一次側循環ポンプ４３のキャビテーションは、例えば、断水になったり冬期等において不凍水栓２２を開栓し減圧弁２１より上流側で給水管８内の水が抜かれる等により、貯湯タンク２にかかる給水圧が低下または遮断した状態で、一次側循環回路４２の凍結防止のために一次側循環ポンプ４３を作動させたり、暖房運転により一次側循環ポンプ４３を作動させると発生するおそれがあるものである。
【００８９】
前記ステップＳ３１で暖房制御部５１は暖房ポンプキャビテーション検知手段５２からの検知信号を受けると、一次側循環ポンプ４３を停止させ（ステップＳ３２）、前記目標回転数をそれまでよりも低い回転数に補正、ここでは目標回転数を最低回転数（例えば３００ｒｐｍ）に補正して（ステップＳ３３）、再び一次側循環ポンプ４３の作動を開始させ（ステップＳ３４）、一次側循環回路４２の凍結防止を継続し、その後、一次側循環回路４２の凍結防止が完了したか否かを判断し（ステップＳ３５）、例えば一次側熱交出口温度センサ４４の検出する湯水の温度が所定温度以上になり一次側循環回路４２の凍結防止が完了したと判断すれば、一次側循環ポンプ４３の作動を停止させて一次側循環回路４２の凍結防止動作を終了するものである。
【００９０】
一方、暖房制御部５１は前記ステップＳ３１で一次側循環ポンプ４３のキャビテーションが発生していないと判断したら、一次側循環回路４２の凍結防止が完了したか否かを判断し（ステップＳ３６）、前記ステップＳ３６で凍結防止が完了したと判断すれば、一次側循環ポンプ４３の作動を停止させて一次側循環回路４２の凍結防止動作を終了するものであり、前記ステップＳ３６で凍結防止が完了していないと判断すれば、再びステップＳ３０の処理に戻るものである。
【００９１】
以上説明した凍結防止動作中に一次側循環ポンプ４３のキャビテーションが発生した場合の作動において、前記ステップＳ３１で暖房ポンプキャビテーション検知手段５２が一次側循環ポンプ４３のキャビテーション検知すると、暖房制御部５１は暖房ポンプキャビテーション検知手段５２からの検知信号を受け、前記ステップＳ３２で一次側循環ポンプ４３を停止させるので、キャビテーションに起因した一次側循環ポンプ４３で生じる騒音や振動や壊食を最小限に抑えることができ、一次側循環ポンプ４３の寿命が縮むのを抑制することができるものであり、さらに、前記ステップＳ３３で一次側循環ポンプ４３の前記目標回転数をそれまでよりも低い回転数に補正することで、前記ステップＳ３４で一次側循環ポンプ４３の作動を再開させてもキャビテーションが発生するおそれを低減することができるものである。なお、この第３の実施形態ではステップＳ３３で目標回転数を最低回転数に補正したので、ステップＳ３４で一次側循環ポンプ４３を作動させてもキャビテーションが発生することないものであり、一次側循環回路４２内の循環不良を招かずに一次側循環回路４２の凍結を防止することができるものである。
【００９２】
また、一次側循環ポンプ４３のキャビテーションが発生すると、一次側循環ポンプ４３の実回転数が一次側循環回路４２の凍結防止の時に通常使用する作動範囲（例えば３００〜２０００ｒｐｍ）を超えた異常回転数（例えば７０００ｐｒｍ）になるため、前記ステップＳ３０で暖房ポンプ実回転数検知手段５３により一次側循環ポンプ４３作動時の実回転数を検知し、暖房ポンプキャビテーション検知手段５２は暖房ポンプ実回転数検知手段５３の検知する一次側循環ポンプ４３の実回転数を監視し、その実回転数に基づいて一次側循環ポンプ４３のキャビテーションが発生したことを検知するので、簡単な制御で確実に一次側循環ポンプ４３のキャビテーションが発生したことを検知することができるものである。
【００９３】
次に、前記暖房運転中に一次側循環ポンプ４３のキャビテーションが発生した場合の作動について図１１に示すフローチャートを用いて説明すると、暖房制御部５１は暖房運転指示手段５０にて暖房運転開始の指示信号を受けると、一次側循環ポンプ４３及び二次側循環ポンプ４６の目標回転数（例えば一次側循環ポンプ４３の目標回転数を３５００ｒｐｍとする）を設定し一次側循環ポンプ４３及び二次側循環ポンプ４６の作動を開始させ、そして、暖房運転が開始されると暖房ポンプ実回転数検知手段５３は一次側循環ポンプ４３の実回転数を検知し（ステップＳ３７）、暖房制御部５１は暖房ポンプキャビテーション検知手段５２からの検知信号の出力があるか否かを判断する（ステップＳ３８）。
【００９４】
ここで、前記ステップＳ３８では、暖房ポンプキャビテーション検知手段５２は暖房ポンプ実回転数検知手段５３で検知する一次側循環ポンプ４３の実回転数を監視し、その実回転数に基づいて、暖房ポンプ実回転数検知手段５３で検知した回転数が所定の回転数（例えば、６０００ｒｐｍ）を超えたかどうかを判断して、前記所定の回転数を超えていれば、一次側循環ポンプ４３のキャビテーションが発生したことを検知して、暖房制御部５１に検知信号を出力するものであり、暖房制御部５１は暖房ポンプキャビテーション検知手段５２からの検知信号を受けると、一次側循環ポンプ４３の作動を停止させる（ステップＳ３９）と共に、貯湯制御部２４に信号を送り給湯リモコン５の表示部６に一次側循環ポンプ４３でキャビテーションが発生したことを意味するエラーコードを表示させ給湯リモコン５のスピーカ（図示せず）から警報音を発する等によりエラーが発生したことを報知させ（ステップＳ４０）、続いて、前記目標回転数をそれまでよりも低い回転数に補正、ここでは目標回転数をそれまでよりも所定回転数（例えば３００ｒｐｍ）低い回転数に補正し（ステップＳ４１）、再び一次側循環ポンプ４３の作動を開始させ（ステップＳ４２）、暖房運転を再開するものであり、この時は、二次側循環回路４５に設けられた二次側熱交出口温度センサ４９の検出温度が所定温度になるように、暖房制御部５１は一次側熱交出口温度センサ４４、二次側熱交入口温度センサ４８、二次側熱交出口温度センサ４９の検出温度に基づき一次側循環ポンプ４３の目標回転数を適宜設定し一次側循環ポンプ４３を作動させるという制御を行わず、ステップＳ４１で補正した目標回転数にのみに基づいて一次側循環ポンプ４３の作動を制御するものである。
【００９５】
前記ステップＳ４２で一次側循環ポンプ４３の作動を開始させ、暖房運転を再開すると
、前記ステップＳ３７の処理に戻り、その後もステップＳ３８で暖房制御部５１が暖房ポンプキャビテーション検知手段５２からの検知信号を受ける場合は、ステップＳ３９で一次側循環ポンプ４３を停止させ、ステップＳ４１で前記目標回転数をそれまでよりもさらに所定回転数低い回転数に補正し、ステップＳ４２で一次側循環ポンプ４３の作動を開始させる制御を、ステップＳ３８で暖房制御部５１が暖房ポンプキャビテーション検知手段５２からの検知信号を受けなくなるまで繰り返し行うものである。なお、暖房制御部５１は暖房運転指示手段５０にて暖房運転停止の指示信号を受けると、一次側循環ポンプ４３及び二次側循環ポンプ４６の作動を停止させ暖房運転を終了するものである。
【００９６】
また前記暖房運転中において、一次側循環ポンプ４３のキャビテーションの発生が不凍水栓２２の開栓によるものであったと仮定して、前記ステップＳ４１で暖房運転中にエラーが報知され、一次側循環ポンプ４３の目標回転数が減少補正された状態で作動して暖房運転が行われている時に、ユーザーがエラーを見て不凍水栓２２を閉栓し、その後に例えば給湯リモコン５で所定の操作を行う等により、暖房運転中にエラーが解除された場合は、その後は通常の暖房運転に戻るものである。
【００９７】
以上説明した前記暖房運転中に一次側循環ポンプ４３のキャビテーションが発生した場合の作動において、前記暖房運転中に前記ステップＳ３８で暖房ポンプキャビテーション検知手段５２が一次側循環ポンプ４３のキャビテーション検知すると、暖房制御部５１は暖房ポンプキャビテーション検知手段５２からの検知信号を受け、前記ステップＳ３９で一次側循環ポンプ４３を停止させるので、キャビテーションに起因した一次側循環ポンプ４３で生じる騒音や振動や壊食を最小限に抑えることができ、一次側循環ポンプ４３の寿命が縮むのを抑制することができ、さらに前記ステップＳ４０でエラーの報知を行うことで、ユーザーにそれまでの正常な暖房運転とは異なることを注意喚起できると共に、ユーザーはエラーの原因（断水が生じているもしくは不凍水栓２２が開栓していることにより給水圧が低下した）を把握することができ、その上、前記ステップＳ４１で前記目標回転数をそれまでよりも低い回転数に補正することで、前記ステップＳ４２で一次側循環ポンプ４３の作動を再開させてもキャビテーションが発生するおそれを低減することができ、一次側循環回路４２内の循環不良を招くことがなく、室内を無暖房状態にしてしまうことがないものである。
【００９８】
また、この第３の実施形態ではステップＳ４１で目標回転数をそれまでよりも所定回転数低い回転数に補正し、前記ステップＳ４２で一次側循環ポンプ４３の作動を開始させ、暖房運転を再開すると、前記ステップＳ３７の処理に戻り、その後もステップＳ３８で暖房制御部５１が暖房ポンプキャビテーション検知手段５２からの検知信号を受ける場合は、ステップＳ３９で一次側循環ポンプ４３を停止させ、ステップＳ４１で前記目標回転数をそれまでよりもさらに所定回転数低い回転数に補正し、ステップＳ４２で一次側循環ポンプ４３の作動を開始させる制御を、ステップＳ３８で暖房制御部５１が暖房ポンプキャビテーション検知手段５２からの検知信号を受けなくなるまで繰り返し行うことにより、一次側循環ポンプ４３を作動させてもキャビテーションが発生することなく、一次側循環回路４２内の循環不良を招くことのない最大の暖房能力状態で暖房運転を継続でき、暖房端末４１の設置された室内を無暖房状態とすることがないものである。
【００９９】
また、一次側循環ポンプ４３のキャビテーションが発生すると、一次側循環ポンプ４３の実回転数が暖房運転時に通常使用する作動範囲（３００ｒｐｍ〜４０００ｒｐｍ）を超えた異常な回転数（例えば７０００ｐｒｍ）になるため、前記ステップＳ３７で暖房ポンプ実回転数検知手段５３により一次側循環ポンプ４３作動時の実回転数を検知し、暖房ポンプキャビテーション検知手段５２は暖房ポンプ実回転数検知手段５３の検知する一次側循環ポンプ４３の実回転数を監視し、その実回転数に基づいて一次側循環ポンプ４３のキャビテーションが発生したことを検知するので、暖房運転中であっても簡単な制御で確実に一次側循環ポンプ４３のキャビテーションが発生したことを検知することができるものである。
【０１００】
なお、本発明は上記の第３の実施形態に限定されるものではなく、上記の第３の実施形態では、前記ステップＳ４１で一次側循環ポンプ４３の目標回転数のそれまでよりも所定回転数低い回転数に補正するようにしたが、一次側循環ポンプ４３の目標回転数を最低回転数（例えば３００ｒｐｍ）に補正してもよく、そうすることで、一次側循環ポンプ４３を作動させてもキャビテーションが発生することなく、一次側循環回路４２内の循環不良を招くことがないので、暖房端末４１が設置された室内の最低限の暖房ができ、室内を無暖房状態にしてしまうことがないものである。
【０１０１】
また、前記暖房端末４１を浴槽に置き換えて、前記暖房用熱交換器４０を風呂用熱交換器とする共に、二次側循環回路４５を浴槽と風呂熱交換器とを循環可能に接続する風呂循環回路とし、この構成において、低外気温時に風呂循環回路の凍結防止動作が必要になり、一次側循環ポンプ４３及び二次側循環ポンプ４６を作動させ、その結果、断水や不凍水栓２２の開栓等に起因した一次側循環ポンプ４３のキャビテーションが発生しても、上述したように一次側循環ポンプ４３の目標回転数を補正し、一次側循環回路４２内の湯水を循環不良を招くことなく風呂用熱交換器に循環させ、二次側である風呂循環回路内の湯水を風呂熱交換器で熱交換して加熱し、風呂循環回路の最低限の凍結防止動作を行うことができるものである。
【０１０２】
次に、本発明の第４の実施形態について説明するが、この実施形態は先に説明した第３の実施形態と同一部分については同符号を付し説明を省略して相違する構成や作動についてのみ説明する。
５４は前記一次側循環ポンプ４３の吐出側と吸込側とを接続する暖房ポンプバイパス管、５５は暖房ポンプバイパス管５４の途中に設けられた暖房流量調整弁であり、この暖房流量調整弁５５は、先に説明した一次側循環ポンプ４３のキャビテーションが発生しない場合は、通常閉状態である。また、一次側循環ポンプ４３のキャビテーションが発生した場合は、暖房流量調整弁５５の開度を閉状態から開くように調整することで、暖房ポンプバイパス管５４を流れる湯水の流量、すなわち一次側循環ポンプ４３の吐出側から吸込側に戻る流量を調整し、一次側循環ポンプ４３の吸込側にかかる圧力を補い一次側循環ポンプ４３のキャビテーション発生を防ぐものである。
【０１０３】
次に、この第４の実施形態において前記凍結防止動作中に一次側循環ポンプ４３のキャビテーションが発生した場合の作動について図１４に示すフローチャートを用いて説明すると、暖房制御部５１は、一次側熱交出口温度センサ４４の検出する湯水温度または外気温度センサ３２の検出する外気温度に基づいて、例えば、一次側熱交出口温度センサ４４の検出する湯水温度が所定温度以下になったか否かを判断し（ステップＳ４３）、一次側熱交出口温度センサ４４の検出する湯水温度が所定温度以下になったと判断すると、一次側循環回路４２の凍結防止が必要だとして凍結防止動作用の一次側循環ポンプ４３の目標回転数を設定し、一次側循環ポンプ４３の作動を開始させ凍結防止動作を開始し（ステップＳ４４）、一次側循環ポンプ４３を目標回転数で作動させるよう制御する。続いて、暖房ポンプ実回転検知手段５３は一次側循環ポンプ４３の実回転数を検知し（ステップＳ４５）、そして、暖房制御部５１は暖房ポンプキャビテーション検知手段５２からの検知信号の出力があるか否かを判断する（ステップＳ４６）。
【０１０４】
ここで、前記ステップＳ４６では、暖房ポンプキャビテーション検知手段５２は暖房ポンプ実回転数検知手段５３で検知する一次側循環ポンプ４３の実回転数を監視し、その実回転数に基づいて、暖房ポンプ実回転数検知手段５３で検知した回転数が所定の回転数（例えば、６０００ｒｐｍ）を超えたかどうかを判断して、前記所定の回転数を超えていれば、一次側循環ポンプ４３のキャビテーションが発生したことを検知して、暖房制御部５１に検知信号を出力するものであり、また、一次側循環ポンプ４３のキャビテーションは、例えば、断水になったり冬期等において不凍水栓２２を開栓し減圧弁２１より上流側で給水管８内の水が抜かれる等により、貯湯タンク２にかかる給水圧が低下または遮断した状態で、一次側循環回路４２の凍結防止のために一次側循環ポンプ４３を作動させたり、暖房運転により一次側循環ポンプ４３を作動させると発生するおそれがあるものである。
【０１０５】
前記ステップＳ４６で暖房制御部５１は暖房ポンプキャビテーション検知手段５２からの検知信号を受けると、一次側循環ポンプ４３を停止させ（ステップＳ４７）、暖房流量調整弁５５を所定の開度に開度調整、ここでは暖房流量調整弁５５を閉状態から開くように最大開度に調整して（ステップＳ４８）、再び一次側循環ポンプ４３の作動を開始させ（ステップＳ４９）、一次側循環回路４２の凍結防止を継続し、その後、一次側循環回路４２の凍結防止が完了したか否かを判断し（ステップＳ５０）、例えば一次側熱交出口温度センサ４４の検出する湯水の温度が所定温度以上になり一次側循環回路４２の凍結防止が完了したと判断すれば、一次側循環ポンプ４３の作動を停止させて一次側循環回路４２の凍結防止動作を終了するものである。
【０１０６】
一方、暖房制御部５１は前記ステップＳ４６で一次側循環ポンプ４３のキャビテーションが発生していないと判断したら、一次側循環回路４２の凍結防止が完了したか否かを判断し（ステップＳ５１）、前記ステップＳ５１で凍結防止が完了したと判断すれば、一次側循環ポンプ４３の作動を停止させて一次側循環回路４２の凍結防止動作を終了するものであり、前記ステップＳ５１で凍結防止が完了していないと判断すれば、再びステップＳ４５の処理に戻るものである。
【０１０７】
以上説明した凍結防止動作中に一次側循環ポンプ４３のキャビテーションが発生した場合の作動において、前記ステップＳ４６で暖房ポンプキャビテーション検知手段５２が一次側循環ポンプ４３のキャビテーション検知すると、暖房制御部５１は暖房ポンプキャビテーション検知手段５２からの検知信号を受け、前記ステップＳ４７で一次側循環ポンプ４３を停止させるので、キャビテーションに起因した一次側循環ポンプ４３で生じる騒音や振動や壊食を最小限に抑えることができ、一次側循環ポンプ４３の寿命が縮むのを抑制することができるものであり、さらに、前記ステップＳ４８で暖房流量調整弁５５を所定の開度に開度調整することで、前記ステップＳ４９で一次側循環ポンプ４３の作動を再開したときに、暖房ポンプバイパス管５４を流れる湯水の流量、すなわち一次側循環ポンプ４３の吸込側に戻る流量を調整して一次側循環ポンプ４３の吸込側にかかる圧力を補うことができ、一次側循環ポンプ４３を作動させてもキャビテーションが発生するおそれを低減することができるものである。なお、この第４の実施形態ではステップＳ４８で暖房流量調整弁５５を最大開度に調整することで、一次側循環ポンプ４３の吸込側に戻る流量が最大となり、一次側循環ポンプ４３の吸込側にかかる圧力が大きくなるので、ステップＳ４９で一次側循環ポンプ４３の作動を再開させても一次側循環ポンプ４３のキャビテーションが発生することないものであり、一次側循環回路４２内の循環不良を招かずに一次側循環回路４２の凍結を防止することができるものである。
【０１０８】
また、一次側循環ポンプ４３のキャビテーションが発生すると、一次側循環ポンプ４３の実回転数が一次側循環回路４２の凍結防止の時に通常使用する作動範囲を超えた異常な回転数になるため、前記ステップＳ４５で暖房ポンプ実回転数検知手段５３により一次側循環ポンプ４３作動時の実回転数を検知し、暖房ポンプキャビテーション検知手段５２は暖房ポンプ実回転数検知手段５３の検知する一次側循環ポンプ４３の実回転数を監視し、その実回転数に基づいて一次側循環ポンプ４３のキャビテーションが発生したことを検知するので、簡単な制御で確実に一次側循環ポンプ４３のキャビテーションが発生したことを検知することができるものである。
【０１０９】
次に、前記暖房運転中に一次側循環ポンプ４３のキャビテーションが発生した場合の作動について図１５に示すフローチャートを用いて説明すると、暖房制御部５１は暖房運転指示手段５０にて暖房運転開始の指示信号を受けると、一次側循環ポンプ４３及び二次側循環ポンプ４６の目標回転数を設定し、一次側循環ポンプ４３及び二次側循環ポンプ４６の作動を開始させ、そして、暖房運転が開始されると暖房ポンプ実回転数検知手段５３は一次側循環ポンプ４３の実回転数を検知し（ステップＳ５２）、暖房制御部５１は暖房ポンプキャビテーション検知手段５２からの検知信号の出力があるか否かを判断する（ステップＳ５３）。
【０１１０】
ここで、前記ステップＳ５３では、暖房ポンプキャビテーション検知手段５２は暖房ポンプ実回転数検知手段５３で検知する一次側循環ポンプ４３の実回転数を監視し、その実回転数に基づいて、暖房ポンプ実回転数検知手段５３で検知した回転数が所定の回転数を超えたかどうかを判断して、前記所定の回転数を超えていれば、一次側循環ポンプ４３のキャビテーションが発生したことを検知して、暖房制御部５１に検知信号を出力するものであり、暖房制御部５１は暖房ポンプキャビテーション検知手段５２からの検知信号を受けると、一次側循環ポンプ４３の作動を停止させる（ステップＳ５４）と共に、貯湯制御部２４に信号を送り給湯リモコン５の表示部６に一次側循環ポンプ４３でキャビテーションが発生したことを意味するエラーコードを表示させ給湯リモコン５のスピーカ（図示せず）から警報音を発する等によりエラーが発生したことを報知させ（ステップＳ５５）、続いて、暖房流量調整弁５５を所定の開度、ここでは暖房流量調整弁５５を閉状態から最大開度に開度調整して（ステップＳ５６）、再び一次側循環ポンプ４３の作動を開始させ（ステップＳ５７）、暖房運転を再開するものであり、この時の暖房運転は、二次側循環回路４５に設けられた二次側熱交出口温度センサ４９の検出温度が所定温度になるように、暖房制御部５１は一次側熱交出口温度センサ４４、二次側熱交入口温度センサ４８、二次側熱交出口温度センサ４９の検出温度に基づき一次側循環ポンプ４３の目標回転数を適宜設定し一次側循環ポンプ４３を作動させるという制御を行わず、一次側循環ポンプ４３をキャビテーションが発生する前に設定されていた目標回転数で作動させ、暖房流量調整弁５５を調整して暖房用熱交換器４０に流入する一次側循環回路側４２の循環流量を調整するという制御を行うものである。
【０１１１】
前記ステップＳ５７で一次側循環ポンプ４３の作動を開始させ暖房運転を再開し、一次側循環ポンプ４３を目標回転数で作動させ、そして、暖房ポンプ実回転数検知手段５３は一次側循環ポンプ４３の実回転数を検知し（ステップＳ５８）、暖房制御部５１は暖房ポンプキャビテーション検知手段５２からの検知信号の出力があるか否かを判断し（ステップＳ５９）、暖房制御部５１は暖房ポンプキャビテーション検知手段５２からの検知信号を受けなければ、暖房流量調整弁５５の開度を最大開度から所定開度減少調整、例えば最大開度から１０％程度開度を減少調整させ（ステップＳ６０）、ステップＳ５８の処理に戻り、前記ステップＳ５９で暖房制御部５１が暖房ポンプキャビテーション検知手段５２からの検知信号を受けるまで、ステップＳ５８→ステップＳ５９→ステップＳ６０→ステップＳ５８→…の処理を繰り返し行い、徐々に暖房流量調整弁５５の開度を減少させていく。
【０１１２】
そして、前記ステップＳ５９で暖房制御部５１が暖房ポンプキャビテーション検知手段５２からの検知信号を受けると、一次側循環ポンプ４３の作動を停止させ（ステップＳ６１）、暖房流量調整弁５５の開度を、前記ステップＳ５９で暖房制御部５１が暖房ポンプキャビテーション検知手段５２からの検知信号を受ける前、すなわち一次側循環ポンプ４３のキャビテーションが発生することのない限界開度に暖房流量調整弁５５の開度を調整し（ステップＳ６２）、再び一次側循環ポンプ４３の作動を開始させ（ステップＳ６３）、暖房運転を再開し前記ステップＳ５２の処理に戻るものである。なお、暖房制御部５１は暖房運転指示手段５０にて暖房運転停止の指示信号を受けると、一次側循環ポンプ４３及び二次側循環ポンプ４６の作動を停止させ暖房運転を終了するものである。
【０１１３】
また前記暖房運転中において、一次側循環ポンプ４３のキャビテーションの発生が不凍水栓２２の開栓によるものであったと仮定して、前記ステップＳ５５で暖房運転中にエラーが報知され、暖房流量調整弁５５が所定開度開いている状態で暖房運転が行われている時に、ユーザーがエラーを見て不凍水栓２２を閉栓し、その後に例えば給湯リモコン５で所定の操作を行う等により、暖房運転中にエラーが解除された場合は、流量調整弁５５が閉状態になり、その後は通常の暖房運転に戻るものである。
【０１１４】
以上説明した前記暖房運転中に一次側循環ポンプ４３のキャビテーションが発生した場合の作動において、前記暖房運転中に前記ステップＳ５３で暖房ポンプキャビテーション検知手段５２が一次側循環ポンプ４３のキャビテーション検知すると、暖房制御部５１は暖房ポンプキャビテーション検知手段５２からの検知信号を受け、前記ステップＳ５４で一次側循環ポンプ４３を停止させるので、キャビテーションに起因した一次側循環ポンプ４３で生じる騒音や振動や壊食を最小限に抑えることができ、一次側循環ポンプ４３の寿命が縮むのを抑制することができ、さらに前記ステップＳ５５でエラーの報知を行うことで、ユーザーにそれまでの正常な暖房運転とは異なることをユーザーに注意喚起できると共に、ユーザーはエラーの原因（断水が生じているもしくは不凍水栓２２が開栓している等により給水圧が低下している）を把握することができ、その上、前記ステップＳ５６で暖房流量調整弁５５を所定の開度に調整して暖房ポンプバイパス管５４を流れる湯水の流量、すなわち一次側循環ポンプ４３の吸込側に戻る流量を調整することで、一次側循環ポンプ４３の吸込側にかかる圧力を補い、一次側循環ポンプ４３を作動させてもキャビテーションが発生するおそれを低減することができ、なお、この第４の実施形態ではステップＳ５６で暖房流量調整弁５５を最大開度に調整することで、一次側循環ポンプ４３の吸込側に戻る流量が最大となり、一次側循環ポンプ４３の吸込側にかかる圧力が大きくなるので、ステップＳ５７で一次側循環ポンプ４３の作動を再開させても一次側循環ポンプ４３のキャビテーションが発生することないものであり、一次側循環回路４２内の循環不良を招くことがないものである。
【０１１５】
また、この第４の実施形態ではステップＳ５８以降の処理において、前記ステップＳ５９で暖房制御部５１が暖房ポンプキャビテーション検知手段５２からの検知信号を受けるまで、ステップＳ５８→ステップＳ５９→ステップＳ６０→ステップＳ５８→…の処理を繰り返し行い、徐々に暖房流量調整弁５５の開度を減少させていき、一次側循環ポンプ４３の吸込側に戻る流量を減少させていくと共に、暖房用熱交換器４０を流通する一次側循環回路４２の循環流量を多くさせ、前記ステップＳ５９で暖房制御部５１が暖房ポンプキャビテーション検知手段５２からの検知信号を受けると、ステップＳ６１で一次側循環ポンプ４３の作動を停止させ、ステップＳ６２で暖房流量調整弁５５の開度を、前記ステップＳ５９で暖房制御部５１が暖房ポンプキャビテーション検知手段５２からの検知信号を受ける前、すなわち一次側循環ポンプ４３のキャビテーションが発生することのない限界開度に暖房流量調整弁５５の開度を調整し、ステップＳ６３で再び一次側循環ポンプ４３の作動を開始させ暖房運転を再開するので、一次側循環ポンプ４３を作動させてもキャビテーションが発生することなく、一次側循環回路４２内の循環不良を招くことのない最大の暖房能力状態で暖房運転を継続でき、暖房端末４１の設置された室内を無暖房状態とすることがないものである。
【０１１６】
また、一次側循環ポンプ４３のキャビテーションが発生すると、一次側循環ポンプ４３の実回転数が暖房運転時に通常使用する作動範囲を超えた回転数になるため、前記ステップＳ５２やステップＳ５８で暖房ポンプ実回転数検知手段５３により一次側循環ポンプ４３作動時の実回転数を検知し、暖房ポンプキャビテーション検知手段５２は暖房ポンプ実回転数検知手段５３の検知する一次側循環ポンプ４３の実回転数を監視し、その実回転数に基づいて一次側循環ポンプ４３のキャビテーションが発生したことを検知するので、暖房運転中であっても簡単な制御で確実に一次側循環ポンプ４３のキャビテーションが発生したことを検知することができるものである。
【０１１７】
なお、本発明は上記の第４の実施形態に限定されるものではなく、上記の第４の実施形態では、前記ステップＳ５６で暖房流量調整弁５５を最大開度に調整し、前記ステップＳ５７で再び一次側循環ポンプ４３の作動を開始させ、前記ステップＳ５８以降の処理で暖房流量調整弁５５の開度を減少調整し、一次側循環ポンプ４３を作動させてもキャビテーションが発生することなく、一次側循環回路４２内の循環不良を招くことのない最大の暖房能力状態で暖房運転を継続でき、暖房端末４１の設置された室内を無暖房状態とすることがないようにしたが、前記ステップＳ５６で暖房流量調整弁５５を最大開度に調整し、前記ステップＳ５７で再び一次側循環ポンプ４３の作動を開始させ暖房運転を再開し、それ以降の前記ステップＳ５８〜ステップＳ６３までの処理は行わないようにしてもよく、そうすることで、一次側循環ポンプ４３を作動させても一次側循環ポンプ４３のキャビテーションが発生することなく、一次側循環回路４２内の循環不良を招かずに暖房端末４１が設置された室内の最低限の暖房ができ、室内を無暖房状態にしてしまうことがないものである。
【０１１８】
次に、本発明の第５の実施形態について説明するが、この実施形態は先に説明した第１の実施形態と同一部分については同一符号を付し説明を省略して相違する構成や作動についてのみ説明する。
５６は給水管８に設けられ給水の圧力を検出する給水圧センサ、５７は給水圧センサ５６の検出する給水圧に基づいて、給水圧が低下したことを検知する給水圧低下検知手段であり、この給水圧低下検知手段５７は前記ヒーポン制御部３５が有しているものである。なお、前記給水圧センサ５６が検出した給水圧の値は、貯湯制御部２４を介してヒーポン制御部３５側に送られ、ヒーポン制御部３５が有する給水圧低下検知手段５７で検知されるものであり、給水圧低下検知手段５７は検知したその給水圧の値に基づいて、例えば減圧弁２１の設定圧力値（例えば１７０ｋＰａ）と比較して前記検知したその給水圧の値が設定圧力値以下であると判断すると、給水圧が低下したとしてヒーポン制御部３５に検知信号を出力し、ヒーポン制御部３５が給水圧低下検知手段５７からの検知信号を受けると、循環ポンプ３０の目標回転数を所定の回転数に設定するものである。なお、給水圧の低下は、断水になったり冬期等において不凍水栓２２を開栓し減圧弁２１より上流側で給水管８内の水が抜かれる等により発生するものである。
【０１１９】
次に、給水圧低下検知手段５７が給水圧低下を検知した場合の前記循環回路９の凍結防止動作について、図１８に示すフローチャートを用いて説明すると、給水圧低下検知手段５７は給水圧センサ５６で検出したその給水圧の値に基づいて、例えば減圧弁２１の設定圧力値（例えば１７０ｋＰａ）と比較して、その給水圧の値が設定圧力値以下であると判断すると、給水圧が低下したとしてヒーポン制御部３５に検知信号を出力するものであり、ヒーポン制御部３５は、給水圧低下検知手段５７からの検知信号があるか否かを判断し（ステップＳ６４）、ヒーポン制御部３５は、前記ステップＳ６４で給水圧低下検知手段５７からの検知信号を受けると、循環ポンプ３０の目標回転数を最低回転数（例えば３００ｒｐｍ）に予め設定しておき（ステップＳ６５）、一方、前記ステップＳ６４で給水圧低下検知手段５７からの検知信号を受けていないと判断すると、ヒーポン制御部３５は循環ポンプ３０の目標回転数を、循環回路９の凍結防止で通常使用する回転数（例えば２０００ｒｐｍ）に設定しておき（ステップＳ６６）、続いて、外気温度センサ３２の検出する外気温度が所定温度以下であるか否かを判断する（ステップＳ６７）。
【０１２０】
前記ステップＳ６７で、ヒーポン制御部３５は外気温度センサ３２の検出する外気温度が所定温度（例えば３℃）以下であると判断すると、前記ステップＳ６５あるいは前記ステップＳ６６で設定した目標回転数で作動するように循環ポンプ３０の作動を開始させ（ステップＳ６８）、循環回路９の凍結防止動作を開始し、そして、循環回路９の凍結防止が完了したか否かを判断し（ステップＳ６９）、例えば予め設定された所定時間が経過してその時に熱交入口温度センサ３３の検出する湯水の温度が所定温度（例えば１０℃）以上になり循環回路９の凍結防止が完了したと判断すれば、循環ポンプ３０の作動を停止させて循環回路９の凍結防止動作を終了するものである。
【０１２１】
以上説明した給水圧低下検知手段５７が給水圧低下を検知した場合の前記循環回路９の凍結防止動作において、前記ステップＳ６４でヒーポン制御部３５は給水圧低下検知手段５７からの検知信号を受けると、ステップＳ６５で凍結防止動作の前に循環ポンプ３０の目標回転数を最低回転数に設定しておくので、その後、循環回路９の凍結防止動作が必要となり前記ステップＳ６８で循環ポンプ３０の作動を開始させたとしてもキャビテーションが発生することなく、循環回路９内の循環不良を招くことがなく循環回路９凍結防止ができるものであり、さらに、循環ポンプ３０のキャビテーションに起因した循環ポンプ３０で生じる騒音や振動や壊食を未然に防止すると共に循環ポンプ３０の寿命が縮むのを未然に防止することができるものである。
【０１２２】
また、前記給水圧低下検知手段５７は、給水圧センサ５６が検出する給水圧に基づいて、給水圧が低下したことを検知するようにしたので、簡単な構成で確実に給水圧の低下を検知することができるものである。
【０１２３】
なお、本発明は上記の第５の実施形態に限定されるものではなく、上記の第５の実施形態では、循環回路９の凍結防止動作が行われる前に、ヒーポン制御部３５が給水圧低下検知手段５７からの検知信号を受けた時は、前記ステップＳ６５で循環ポンプ３０の目標回転数を最低回転数に設定しておくようにしていたが、前記凍結防止動作が行われる前はヒーポン制御部３５が給水圧低下検知手段５７からの検知信号を受けておらず、前記凍結防止動作中にヒーポン制御部３５が給水圧低下検知手段５７からの検知信号を受けた時には、循環ポンプ３０の作動を停止させ、前記目標回転数を最低回転数に補正し、再び循環ポンプ３０の作動を開始させて循環回路９の凍結防止動作を再開するようにしてもよいものである。そうすることで、循環ポンプ３０のキャビテーションが発生したとしても、循環ポンプ３０で生じる騒音や振動や壊食を最小限に抑えることができ、循環ポンプ３０の寿命が縮むのを抑制することができるものであり、さらに、循環ポンプ３０の目標回転数を最低回転数に補正したので、その後に循環ポンプ３０を作動させてもキャビテーションが発生することないものであり、循環回路９内の循環不良を招かずに循環回路９の凍結を防止することができるものである。
【０１２４】
また、前記ステップＳ６４で、ヒーポン制御部３５は、給水圧低下検知手段５７からの検知信号を受けた時に、給水圧が低下したことを意味するエラーコードを給湯リモコン５の表示部６に表示させ、給湯リモコン５のスピーカ（図示せず）から警報音を発する等によりエラーが発生したことを報知させるようにしてもよく、そうすることで、正常な状態で沸き上げ動作が行えないことをユーザーに注意を促すことができ、さらに、このエラーが解除されるまで圧縮機２５及び循環ポンプ３０を作動させて貯湯タンク２内の湯水を加熱する沸き上げ動作を行わないようにしてもよく、そうすることで、循環ポンプ３０のキャビテーションに起因した循環ポンプ３０で生じる騒音や振動や壊食を未然に防止すると共に循環ポンプ３０の寿命が縮むのを未然に防止することができ、次回沸き上げ動作を行う時であっても安心・安全な状態で使用できるものである。
【０１２５】
また、前記給水圧低下検知手段５７は、給水圧センサ５６の検出する給水圧に基づいて給水圧の低下を検知するようにしたが、前記給水管８に接続された不凍水栓２２が開放されたことを検知することで、給水圧が低下したことを検知するようにしてもよいものである。
【０１２６】
また、給水圧低下検知手段５７は制御部であるヒーポン制御部３５が有しているが、制御部を貯湯制御部２４として貯湯制御部２４が給水圧低下検知手段５７を有していてもよいものであり、貯湯制御部２４及びヒーポン制御部３５を１つにまとめて制御部として、この制御部が給水圧低下検知手段５７を有していてもよいものであり、また、貯湯制御部２４やヒーポン制御部３５と通信可能な状態で独立して給水圧低下検知手段５７を貯湯タンクユニット１内またはヒートポンプユニット３内に設けてもよいものである。
【０１２７】
次に、第６の実施形態について説明するが、この実施形態は先に説明した第２の実施形態に第５の実施形態で述べた給水圧センサ５６を設けると共に、第２の実施形態のキャビテーション検知手段３６及び実回転数検知手段３７の代わりに第５の実施形態の給水圧低下検知手段５７を設けたものであり、その他の同一部分については同一符号を付し説明を省略して相違する構成や作動についてのみ説明する。
ここで、前記給水圧センサ５６が検出した給水圧の値は、貯湯制御部２４を介してヒーポン制御部３５側に送られ、ヒーポン制御部３５が有する給水圧低下検知手段５７で検知されるものであり、給水圧低下検知手段５７は検知したその給水圧の値に基づいて、例えば減圧弁２１の設定圧力値と比較して前記検知したその給水圧の値が設定圧力値以下であると判断すると、給水圧が低下したとしてヒーポン制御部３５に検知信号を出力し、前記ヒーポン制御部３５は給水圧低下検知手段５７からの検知信号を受けると、流量調整弁３９の開度を所定の開度に設定するものである。
【０１２８】
次に、給水圧低下検知手段５７が給水圧低下を検知した場合の前記循環回路９の凍結防止動作について、図２１に示すフローチャートを用いて説明すると、給水圧低下検知手段５７は給水圧センサ５６で検出したその給水圧の値に基づいて、例えば減圧弁２１の設定圧力値（例えば１７０ｋＰａ）と比較して、その給水圧の値が設定圧力値以下であると判断すると、給水圧が低下したとしてヒーポン制御部３５に検知信号を出力するものであり、ヒーポン制御部３５は、給水圧低下検知手段５７からの検知信号があるか否かを判断し（ステップＳ７０）、ヒーポン制御部３５は、前記ステップＳ７０で給水圧低下検知手段５７からの検知信号を受けると、流量調整弁３９開度を閉状態から開くように最大開度にし（ステップＳ７１）、一方、前記ステップＳ７０で給水圧低下検知手段５７からの検知信号を受けていないと判断すると、ヒーポン制御部３５は流量調整弁３９を閉状態にし（ステップＳ７２）、続いて、外気温度センサ３２の検出する外気温度が所定温度以下であるか否かを判断する（ステップＳ７３）。
【０１２９】
前記ステップＳ７３で、ヒーポン制御部３５は外気温度センサ３２の検出する外気温度が所定温度以下であると判断すると、前記ステップＳ７１あるいは前記ステップＳ７２で設定した流量調整弁３９の開度のまま、循環ポンプ３０を目標回転数で作動するように循環ポンプ３０の作動を開始させ（ステップＳ７４）、循環回路９の凍結防止動作を開始し、そして、循環回路９の凍結防止が完了したか否かを判断し（ステップＳ７５）、例えば予め設定された所定時間が経過してその時に熱交入口温度センサ３３の検出する湯水の温度が所定温度以上になり循環回路９の凍結防止が完了したと判断すれば、循環ポンプ３０の作動を停止させて循環回路９の凍結防止動作を終了するものである。
【０１３０】
以上説明した給水圧低下検知手段５７が給水圧低下を検知した場合の前記循環回路９の凍結防止動作において、前記ステップＳ７０でヒーポン制御部３５は給水圧低下検知手段５７からの検知信号を受けると、ステップＳ７１で凍結防止動作の前に流量調整弁３９の開度を最大開度にしておくので、その後、給水圧低下を検知している状態で、循環回路９の凍結防止動作が必要となり前記ステップＳ７４で循環ポンプ３０の作動を開始させたとしてもキャビテーションが発生することなく、循環回路９内の循環不良を招くことがなく循環回路９凍結防止ができるものであり、さらに、循環ポンプ３０のキャビテーションに起因した循環ポンプ３０で生じる騒音や振動や壊食を未然に防止すると共に循環ポンプ３０の寿命が縮むのを未然に防止することができるものである。
【０１３１】
また、前記給水圧低下検知手段５７は、給水圧センサ５６が検出する給水圧に基づいて、給水圧が低下したことを検知するようにしたので、簡単な構成で確実に給水圧の低下を検知することができるものである。
【０１３２】
なお、本発明は上記の第６の実施形態に限定されるものではなく、上記の第６の実施形態では、循環回路９の凍結防止動作が行われる前に、ヒーポン制御部３５が給水圧低下検知手段５７からの検知信号を受けた時は、前記ステップＳ７１で流量調整弁３９の開度を最大開度にするようにしていたが、前記凍結防止動作が行われる前にはヒーポン制御部３５が給水圧低下検知手段５７からの検知信号を受けておらず、前記凍結防止動作中にヒーポン制御部３５が給水圧低下検知手段５７からの検知信号を受けた時には、循環ポンプ３０の作動を停止させ、流量調整弁３９の開度を最大開度に調整し、再び循環ポンプ３０の作動を開始させて循環回路９の凍結防止動作を再開するようにしてもよいものである。そうすることで、循環ポンプ３０のキャビテーションが発生したとしても、循環ポンプ３０で生じる騒音や振動や壊食を最小限に抑えることができ、循環ポンプ３０の寿命が縮むのを抑制することができるものであり、さらに、流量調整弁３９の開度を最大開度に調整したので、その後に循環ポンプ３０を作動させてもキャビテーションが発生することないものであり、循環回路９内の循環不良を招かずに循環回路９の凍結を防止することができるものである。
【０１３３】
次に、本発明の第７の実施形態について説明するが、この実施形態は先に説明した第３の実施形態に第５の実施形態で述べた給水圧センサ５６を設けると共に、第３の実施形態の暖房ポンプキャビテーション検知手段５２及び暖房ポンプ実回転数検知手段５３の代わりに第５の実施形態の給水圧低下検知手段５７を暖房制御部５１に設けたものであり、その他の同一部分については同一符号を付し説明を省略して相違する構成や作動についてのみ説明する。
ここで、前記給水圧センサ５６が検出した給水圧の値は、暖房制御部５１が有する給水圧低下検知手段５７で検知されるものであり、給水圧低下検知手段５７は検知したその給水圧の値を、例えば減圧弁２１の設定圧力値（例えば１７０ｋＰａ）と比較して前記検知したその給水圧の値が設定圧力値以下であると判断すると、給水圧が低下したとして暖房制御部５１に検知信号を出力し、前記暖房制御部５１は給水圧低下検知手段５７からの検知信号を受けると、一次側循環ポンプ４３の目標回転数を所定の回転数に設定するものである。なお、給水圧の低下は、断水になったり冬期等において不凍水栓２２を開栓し減圧弁２１より上流側で給水管８内の水が抜かれる等により発生するものである。
【０１３４】
次に、給水圧低下検知手段５７が給水圧低下を検知した場合の前記暖房運転について、図２４に示すフローチャートを用いて説明すると、給水圧低下検知手段５７は給水圧センサ５６で検出したその給水圧の値に基づき、例えば減圧弁２１の設定圧力値（例えば１７０ｋＰａ）と比較して、その給水圧の値が設定圧力値以下であると判断すると、給水圧が低下したとして暖房制御部５１に検知信号を出力するものであり、暖房制御部５１は、給水圧低下検知手段５７からの検知信号があるか否かを判断し（ステップＳ７６）、暖房制御部５１は、前記ステップＳ７６で給水圧低下検知手段５７からの検知信号を受けると、一次側循環ポンプ４３の目標回転数を最低回転数（例えば３００ｒｐｍ）に予め設定しておき（ステップＳ７７）、一方、前記ステップＳ７６で給水圧低下検知手段５７からの検知信号を受けていないと判断すると、暖房制御部５１は一次側循環ポンプ４３の目標回転数を、暖房運転で通常使用する回転数（例えば３５００ｒｐｍ）に予め設定しておき（ステップＳ７８）、続いて、暖房制御部５１は暖房運転指示手段５０から暖房運転開始の指示信号があるか否かを判断する（ステップＳ７９）。
【０１３５】
前記ステップＳ７９で、暖房制御部５１は暖房運転指示手段５０からの暖房運転開始の指示信号受けると、前記ステップＳ７７あるいは前記ステップＳ７８で設定した目標回転数で作動するように一次側循環ポンプ４３の作動を開始させる（ステップＳ８０）と共に、二次側循環ポンプ４６の作動を開始させ、暖房運転を開始させるものである。そして、暖房制御部５１は暖房運転指示手段５０にて暖房運転停止の指示信号があるか否かを判断し（ステップＳ８１）、暖房制御部５１は暖房運転指示手段５０からの暖房運転停止の指示信号を受けると、一次側循環ポンプ４３及び二次側循環ポンプ４６の作動を停止させ暖房運転を終了するものである。
【０１３６】
以上説明した給水圧低下検知手段５７が給水圧低下を検知した場合の暖房運転において、前記ステップＳ７６で暖房制御部５１は給水圧低下検知手段５７からの検知信号を受けると、ステップＳ７７で暖房運転を開始する前に一次側循環ポンプ４３の目標回転数を最低回転数に設定しておくので、その後、給水圧が低下している状態で暖房運転開始の指示があり前記ステップＳ８０で一次側循環ポンプ４３の作動を開始させたとしても、キャビテーションが発生することなく、一次側循環回路４２内の循環不良を招くことがなく、室内の最低限の暖房ができ、室内を無暖房状態にしてしまうことがないものであり、さらに、一次側循環ポンプ４３のキャビテーションに起因した一次側循環ポンプ４３で生じる騒音や振動や壊食を未然に防止すると共に一次側循環ポンプ４３の寿命が縮むのを未然に防止することができるものである。
【０１３７】
また、前記給水圧低下検知手段５７は、給水圧センサ５６が検出する給水圧に基づいて、給水圧が低下したことを検知するようにしたので、簡単な構成で確実に給水圧の低下を検知することができるものである。
【０１３８】
なお、本発明は上記の第７の実施形態に限定されるものではなく、上記の第７の実施形態では、給水圧低下検知手段５７が給水圧低下を検知した場合の前記暖房運転について説明したが、前記ステップＳ７９及び前記ステップＳ８１を一次側循環回路４２の凍結防止の開始及び一次側循環回路４２の凍結防止の完了を判断するステップに置き換えて、給水圧低下検知手段５７が給水圧低下を検知した場合の一次側循環回路４２の凍結防止動作について説明するものとしてもよく、そうすることで、給水圧が低下している状態で一次側循環回路４２の凍結防止動作により、前記ステップ８０で一次側循環ポンプ４３の作動が開始されたとしても、一次側循環回路４２内の循環不良を招くことがなく、一次側循環回路４２の凍結防止を行うことができ、さらに、一次側循環ポンプ４３のキャビテーションに起因した一次側循環ポンプ４３で生じる騒音や振動や壊食を未然に防止すると共に一次側循環ポンプ４３の寿命が縮むのを未然に防止することができるものである。
【０１３９】
また、前記暖房運転が行われる前に、暖房制御部５１が給水圧低下検知手段５７からの検知信号を受けた時は、前記ステップＳ７７で一次側循環ポンプ４３の目標回転数を最低回転数に設定しておくようにしていたが、暖房運転が行われる前には暖房制御部５１が給水圧低下検知手段５７からの検知信号を受けておらず、暖房運転中に暖房制御部５１が給水圧低下検知手段５７からの検知信号を受けた時には、一次側循環ポンプ４３の作動を停止させ、一次側循環ポンプ４３の目標回転数を最低回転数に補正し、再び一次側循環ポンプ４３の作動を開始させて暖房運転を再開するようにしてもよいものである。そうすることで、一次側循環ポンプ４３のキャビテーションが発生したとしても、一次側循環ポンプ４３で生じる騒音や振動や壊食を最小限に抑えることができ、一次側循環ポンプ４３の寿命が縮むのを抑制することができるものであり、さらに、一次側循環ポンプ４３の目標回転数を最低回転数にしたので、その後に一次側循環ポンプ４３を作動させてもキャビテーションが発生することないものであり、一次側循環回路４２内の循環不良を招かずに室内の最低限の暖房ができ、室内を無暖房状態にしてしまうことがないものである。
【０１４０】
また、前記給水圧低下検知手段５７は、給水圧センサ５６の検出する給水圧に基づいて給水圧の低下を検知するようにしたが、前記給水管８に接続された不凍水栓２２が開放されたことを検知することで、給水圧が低下したことを検知するようにしてもよいものである。
【０１４１】
次に、本発明の第８の実施形態について説明するが、この実施形態は先に説明した第７の実施形態に第４の実施形態で述べた暖房ポンプバイパス管５４及び暖房流量調整弁５５を設けたものであり、その他の同一部分については同一符号を付し説明を省略して相違する構成や作動についてのみ説明する。
ここで、前記給水圧センサ５６が検出した給水圧の値は、暖房制御部５１が有する給水圧低下検知手段５７で検知されるものであり、給水圧低下検知手段５７は検知したその給水圧の値を、例えば減圧弁２１の設定圧力値と比較して前記検知したその給水圧の値が設定圧力値以下であると判断すると、給水圧が低下したとして暖房制御部５１に検知信号を出力し、前記暖房制御部５１は給水圧低下検知手段５７からの検知信号を受けると、暖房流量調整弁５５の開度を所定の開度に設定するものである。
【０１４２】
次に、給水圧低下検知手段５７が給水圧低下を検知した場合の前記暖房運転について、図２７に示すフローチャートを用いて説明すると、給水圧低下検知手段５７は給水圧センサ５６で検出したその給水圧の値に基づき、例えば減圧弁２１の設定圧力値と比較して、その給水圧の値が設定圧力値以下であると判断すると、給水圧が低下したとして暖房制御部５１に検知信号を出力するものであり、暖房制御部５１は、給水圧低下検知手段５７からの検知信号があるか否かを判断し（ステップＳ８２）、暖房制御部５１は、前記ステップＳ８２で給水圧低下検知手段５７からの検知信号を受けると、暖房流量調整弁５５の開度を閉状態から開くようにして最大開度とし（ステップＳ８３）、一方、前記ステップＳ８２で給水圧低下検知手段５７からの検知信号を受けていないと判断すると、暖房制御部５１は暖房流量調整弁５５を閉状態とし（ステップＳ８４）、続いて、暖房制御部５１は暖房運転指示手段５０から暖房運転開始の指示信号があるか否かを判断する（ステップＳ８５）。
【０１４３】
前記ステップＳ８５で、暖房制御部５１は暖房運転指示手段５０からの暖房運転開始の指示信号受けると、前記ステップＳ８３あるいは前記ステップＳ８４で設定した暖房流量調整弁５５の開度のまま、一次側循環ポンプ４３を設定した目標回転数（例えば３５００ｒｐｍ）で作動させるように一次側循環ポンプ４３の作動を開始させる（ステップＳ８６）と共に、二次側循環ポンプ４６の作動を開始させ、暖房運転を開始させるものである。そして、暖房制御部５１は暖房運転指示手段５０にて暖房運転停止の指示信号があるか否かを判断し（ステップＳ８７）、暖房制御部５１は暖房運転指示手段５０からの暖房運転停止の指示信号を受けると、一次側循環ポンプ４３及び二次側循環ポンプ４６の作動を停止させ暖房運転を終了するものである。
【０１４４】
以上説明した給水圧低下検知手段５７が給水圧低下を検知した場合の暖房運転において、前記ステップＳ８２で暖房制御部５１は給水圧低下検知手段５７からの検知信号を受けると、ステップＳ８３で暖房運転を開始する前に暖房流量調整弁５５の開度を最大開度にするので、その後、給水圧が低下している状態で暖房運転開始の指示があり前記ステップＳ８６で一次側循環ポンプ４３の作動を開始させたとしても、キャビテーションが発生することなく、一次側循環回路４２内の循環不良を招くことがなく、室内の最低限の暖房ができ、室内を無暖房状態にしてしまうことがないものであり、さらに、一次側循環ポンプ４３のキャビテーションに起因した一次側循環ポンプ４３で生じる騒音や振動や壊食を未然に防止すると共に一次側循環ポンプ４３の寿命が縮むのを未然に防止することができるものである。
【０１４５】
また、前記給水圧低下検知手段５７は、給水圧センサ５６が検出する給水圧に基づいて、給水圧が低下したことを検知するようにしたので、簡単な構成で確実に給水圧の低下を検知することができるものである。
【０１４６】
なお、本発明は上記の第８の実施形態に限定されるものではなく、上記の第８の実施形態では、給水圧低下検知手段５７が給水圧低下を検知した場合の前記暖房運転について説明したが、前記ステップＳ８２及び前記ステップＳ８５を一次側循環回路４２の凍結防止の開始及び一次側循環回路４２の凍結防止の完了を判断するステップに置き換えて、給水圧低下検知手段５７が給水圧低下を検知した場合の一次側循環回路４２の凍結防止動作について説明するものとしてもよく、そうすることで、給水圧が低下している状態で一次側循環回路４２の凍結防止動作により、前記ステップ８６で一次側循環ポンプ４３の作動が開始されたとしても、一次側循環回路４２内の循環不良を招くことがなく、一次側循環回路４２の凍結防止を行うことができ、さらに、一次側循環ポンプ４３のキャビテーションに起因した一次側循環ポンプ４３で生じる騒音や振動や壊食を未然に防止すると共に一次側循環ポンプ４３の寿命が縮むのを未然に防止することができるものである。
【０１４７】
また、前記暖房運転が行われる前に、暖房制御部５１が給水圧低下検知手段５７からの検知信号を受けた時は、前記ステップＳ８３で暖房流量調整弁５５の開度を最大開度にするようにしていたが、暖房運転が行われる前には暖房制御部５１が給水圧低下検知手段５７からの検知信号を受けておらず、暖房運転中に暖房制御部５１が給水圧低下検知手段５７からの検知信号を受けた時には、一次側循環ポンプ４３の作動を停止させ、暖房流量調整弁５５の開度を最大開度に調整し、再び一次側循環ポンプ４３の作動を開始させて暖房運転を再開するようにしてもよいものである。そうすることで、一次側循環ポンプ４３のキャビテーションが発生したとしても、一次側循環ポンプ４３で生じる騒音や振動や壊食を最小限に抑えることができ、一次側循環ポンプ４３の寿命が縮むのを抑制することができるものであり、さらに、暖房流量調整弁５５の開度を最大開度に調整したので、その後に一次側循環ポンプ４３を作動させてもキャビテーションが発生することないものであり、一次側循環回路４２内の循環不良を招かずに室内の最低限の暖房ができ、室内を無暖房状態にしてしまうことがないものである。
【図面の簡単な説明】
【０１４８】
【図１】この発明の第１の実施形態の概略構成図。
【図２】同第１の実施形態の要部ブロック図。
【図３】同第１の実施形態の凍結防止動作中に循環ポンプのキャビテーションが発生した場合の作動を示すフローチャート。
【図４】同第１の実施形態の沸き上げ動作中に循環ポンプのキャビテーションが発生した場合の作動を示すフローチャート。
【図５】この発明の第２の実施形態の概略構成図。
【図６】同第２の実施形態の要部ブロック図。
【図７】同第２の実施形態の凍結防止動作中に循環ポンプのキャビテーションが発生した場合の作動を示すフローチャート。
【図８】この発明の第３の実施形態の概略構成図。
【図９】同第３の実施形態の要部ブロック図。
【図１０】同第３の実施形態の凍結防止動作中に一次側循環ポンプのキャビテーションが発生した場合の作動を示すフローチャート。
【図１１】同第３の実施形態の暖房運転中に一次側循環ポンプのキャビテーションが発生した場合の作動を示すフローチャート。
【図１２】この発明の第４の実施形態の概略構成図。
【図１３】同第４の実施形態の要部ブロック図。
【図１４】同第４の実施形態の凍結防止動作中に一次側循環ポンプのキャビテーションが発生した場合の作動を示すフローチャート。
【図１５】同第４の実施形態の暖房運転中に一次側循環ポンプのキャビテーションが発生した場合の作動を示すフローチャート。
【図１６】この発明の第５の実施形態の概略構成図。
【図１７】同第５の実施形態の要部ブロック図。
【図１８】同第５の実施形態の給水圧低下検知手段が給水圧低下を検知した場合の循環回路の凍結防止動作を示すフローチャート。
【図１９】この発明の第６の実施形態の概略構成図。
【図２０】同第６の実施形態の要部ブロック図。
【図２１】同第６の実施形態の給水圧低下検知手段が給水圧低下を検知した場合の循環回路の凍結防止動作を示すフローチャート。
【図２２】この発明の第７の実施形態の概略構成図。
【図２３】同第７の実施形態の要部ブロック図。
【図２４】同第７の実施形態の給水圧低下検知手段が給水圧低下を検知した場合の暖房運転を示すフローチャート。
【図２５】この発明の第８の実施形態の概略構成図。
【図２６】同第８の実施形態の要部ブロック図。
【図２７】同第８の実施形態の給水圧低下検知手段が給水圧低下を検知した場合の暖房運転を示すフローチャート。
【図２８】従来例の概略構成図。
【符号の説明】
【０１４９】
２  貯湯タンク
３  加熱手段（ヒートポンプユニット）
８  給水管
９  循環回路
３０  循環ポンプ
３５  制御部
３６  キャビテーション検知手段
３７  実回転数検知手段
３８  ポンプバイパス管
３９  流量調整弁
４０  暖房用熱交換器
４１  暖房端末
４２  一次側循環回路
４３  一次側循環ポンプ
４５  二次側循環回路
４６  二次側循環ポンプ
５１  暖房制御部
５２  暖房ポンプキャビテーション検知手段
５３  暖房ポンプ実回転数検知手段
５４  暖房ポンプバイパス管
５５  暖房流量調整弁
５６  給水圧センサ
５７  給水圧低下検知手段
【図１】
0005226384.tif 000002
【図２】
0005226384.tif 000003
【図３】
0005226384.tif 000004
【図４】
0005226384.tif 000005
【図５】
0005226384.tif 000006
【図６】
0005226384.tif 000007
【図７】
0005226384.tif 000008
【図８】
0005226384.tif 000009
【図９】
0005226384.tif 000010
【図１０】
0005226384.tif 000011
【図１１】
0005226384.tif 000012
【図１２】
0005226384.tif 000013
【図１３】
0005226384.tif 000014
【図１４】
0005226384.tif 000015
【図１５】
0005226384.tif 000016
【図１６】
0005226384.tif 000017
【図１７】
0005226384.tif 000018
【図１８】
0005226384.tif 000019
【図１９】
0005226384.tif 000020
【図２０】
0005226384.tif 000021
【図２１】
0005226384.tif 000022
【図２２】
0005226384.tif 000023
【図２３】
0005226384.tif 000024
【図２４】
0005226384.tif 000025
【図２５】
0005226384.tif 000026
【図２６】
0005226384.tif 000027
【図２７】
0005226384.tif 000028
【図２８】
0005226384.tif 000029